(57)【要約】  プラズマディスプレイパネル（１０）に３Ｄ画像を表示する際に、良好な画像表示品質を実現する。そのために、駆動回路は、維持パルス発生回路（６０）、（８０）と、シャッタ開閉用タイミング信号および維持パルス発生回路（６０）、（８０）を制御する制御信号を発生する制御信号発生回路（４５）と、全セル点灯率をサブフィールド毎に検出する全セル点灯率検出回路（４６）と、プラズマディスプレイパネル（１０）の画像表示領域に設定した複数の領域のそれぞれにおいて部分点灯率をサブフィールド毎に検出する部分点灯率検出回路（４７）とを有する。そして、駆動回路は、それぞれのサブフィールドにおいて、画像信号および輝度重みにもとづき設定される維持パルスの発生数を、全セル点灯率および部分点灯率に応じて補正する。
2012011284.tif 000002
【特許請求の範囲】
【請求項１】
走査電極と維持電極とからなる表示電極対を有する放電セルを複数備えたプラズマディスプレイパネルと、
輝度重みが設定された維持期間を有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示する駆動回路と、を備え、
前記駆動回路は、
前記維持期間に前記輝度重みに応じた数の維持パルスを発生し、前記表示電極対の前記走査電極と前記維持電極とに交互に印加する維持パルス発生回路と、
前記プラズマディスプレイパネルに前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とからなるシャッタ開閉用タイミング信号と、前記維持パルス発生回路を制御する制御信号とを発生する制御信号発生回路と、
前記プラズマディスプレイパネルの画像表示領域における放電セルの数に対する点灯するべき放電セルの数の割合を全セル点灯率として前記サブフィールド毎に検出する全セル点灯率検出回路と、
前記プラズマディスプレイパネルの画像表示領域を複数の領域に分け、前記領域のそれぞれにおいて、放電セルの数に対する点灯するべき放電セルの数の割合を部分点灯率として前記サブフィールド毎に検出する部分点灯率検出回路と、を有し、
それぞれの前記サブフィールドの前記維持パルスの発生数を、前記全セル点灯率および前記部分点灯率に応じて補正し、前記維持パルス発生回路から前記補正後の発生数で維持パルスを発生する
ことを特徴とするプラズマディスプレイ装置。
【請求項２】
前記駆動回路は、
フィールドの先頭サブフィールドおよび最終サブフィールドを除くサブフィールドにおいて、前記維持パルスの発生数を、前記全セル点灯率および前記部分点灯率に応じて補正する
ことを特徴とする請求項１に記載のプラズマディスプレイ装置。
【請求項３】
前記駆動回路は、
前記先頭サブフィールドを輝度重みの最も小さいサブフィールドとするとともに、前記最終サブフィールドを前記先頭サブフィールドと同じ輝度重みかまたは２番目に輝度重みの小さいサブフィールドとする
ことを特徴とする請求項２に記載のプラズマディスプレイ装置。
【請求項４】
前記駆動回路は、
前記部分点灯率が所定のしきい値を超える前記領域における前記部分点灯率の平均値を前記サブフィールド毎に算出し、
フィールドの先頭サブフィールドおよび最終サブフィールドを除くサブフィールドにおいて、前記維持パルスの発生数を、前記全セル点灯率および前記部分点灯率の平均値に応じて補正する
ことを特徴とする請求項１に記載のプラズマディスプレイ装置。
【請求項５】
前記駆動回路は、
１対の前記表示電極対を１つの前記領域とし、前記表示電極対毎に前記部分点灯率を検出する
ことを特徴とする請求項１に記載のプラズマディスプレイ装置。
【請求項６】
前記駆動回路は、
前記維持パルスの立ち上がり期間および立ち下がり期間の少なくとも一方の長さが異なる複数の前記維持パルスを前記維持パルス発生回路から発生するとともに、発生する前記維持パルスの組み合わせが異なる複数の駆動パターンの中から、前記全セル点灯率および前記部分点灯率に応じていずれか１つの前記駆動パターンを選択して前記維持パルスを発生する
ことを特徴とする請求項１に記載のプラズマディスプレイ装置。
【請求項７】
走査電極と維持電極とからなる表示電極対を有する放電セルを複数備えたプラズマディスプレイパネルと、
輝度重みが設定された維持期間を有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示する駆動回路と、を備えたプラズマディスプレイ装置と、
それぞれ独立にシャッタの開閉が可能な右目用シャッタおよび左目用シャッタを有し、前記制御信号発生回路で発生した前記シャッタ開閉用タイミング信号でシャッタの開閉が制御されるシャッタ眼鏡とを備え、
前記駆動回路は、
前記維持期間に前記輝度重みに応じた数の維持パルスを発生し、前記表示電極対の前記走査電極と前記維持電極とに交互に印加する維持パルス発生回路と、
前記プラズマディスプレイパネルに前記右目用フィールドを表示するときにオンとなり前記左目用フィールドを表示するときにオフとなる右目用タイミング信号と、前記左目用フィールドを表示するときにオンとなり前記右目用フィールドを表示するときにオフとなる左目用タイミング信号とからなるシャッタ開閉用タイミング信号と、前記維持パルス発生回路を制御する制御信号とを発生する制御信号発生回路と、
前記プラズマディスプレイパネルの画像表示領域における放電セルの数に対する点灯するべき放電セルの数の割合を全セル点灯率として前記サブフィールド毎に検出する全セル点灯率検出回路と、
前記プラズマディスプレイパネルの画像表示領域を複数の領域に分け、前記領域のそれぞれにおいて、放電セルの数に対する点灯するべき放電セルの数の割合を部分点灯率として前記サブフィールド毎に検出する部分点灯率検出回路と、を有し、
フィールドの先頭サブフィールドおよび最終サブフィールドを除くサブフィールドの前記維持パルスの発生数を、前記全セル点灯率および前記部分点灯率に応じて補正し、前記維持パルス発生回路から前記補正後の発生数で維持パルスを発生する
ことを特徴とするプラズマディスプレイシステム。
【請求項８】
走査電極と維持電極とからなる表示電極対を有する放電セルを複数備えたプラズマディスプレイパネルの駆動方法であって、
輝度重みが設定された維持期間を有するサブフィールドを複数用いて１フィールドを構成し、右目用画像信号および左目用画像信号を有する画像信号にもとづき前記右目用画像信号を表示する右目用フィールドと前記左目用画像信号を表示する左目用フィールドとを交互に繰り返して前記プラズマディスプレイパネルに画像を表示し、
前記プラズマディスプレイパネルの画像表示領域における放電セルの数に対する点灯するべき放電セルの数の割合を全セル点灯率として前記サブフィールド毎に検出するとともに、
前記プラズマディスプレイパネルの画像表示領域を複数の領域に分け、前記領域のそれぞれにおいて、放電セルの数に対する点灯するべき放電セルの数の割合を部分点灯率として前記サブフィールド毎に検出し、
フィールドの先頭サブフィールドおよび最終サブフィールドを除くサブフィールドの前記維持パルスの発生数を、前記全セル点灯率および前記部分点灯率に応じて補正する
ことを特徴とするプラズマディスプレイパネルの駆動方法。
【発明の詳細な説明】
【技術分野】
【０００１】
本発明は、プラズマディスプレイパネルに交互に表示される右目用画像と左目用画像とからなる立体画像をシャッタ眼鏡を用いて立体視することができるプラズマディスプレイ装置、プラズマディスプレイシステム、およびプラズマディスプレイパネルの駆動方法に関する。
【背景技術】
【０００２】
プラズマディスプレイパネル（以下、「パネル」と略記する）として代表的な交流面放電型パネルは、対向配置された前面基板と背面基板との間に多数の放電セルが形成されている。前面基板は、１対の走査電極と維持電極とからなる表示電極対が前面側のガラス基板上に互いに平行に複数対形成されている。そして、それら表示電極対を覆うように誘電体層および保護層が形成されている。【０００３】
背面基板は、背面側のガラス基板上に複数の平行なデータ電極が形成され、それらデータ電極を覆うように誘電体層が形成され、さらにその上にデータ電極と平行に複数の隔壁が形成されている。そして、誘電体層の表面と隔壁の側面とに蛍光体層が形成されている。【０００４】
そして、表示電極対とデータ電極とが立体交差するように、前面基板と背面基板とを対向配置して密封する。密封された内部の放電空間には、例えば分圧比で５％のキセノンを含む放電ガスを封入し、表示電極対とデータ電極とが対向する部分に放電セルを形成する。このような構成のパネルにおいて、各放電セル内でガス放電により紫外線を発生し、この紫外線で赤色（Ｒ）、緑色（Ｇ）および青色（Ｂ）の各色の蛍光体を励起発光してカラーの画像表示を行う。【０００５】
パネルを駆動する方法としては一般にサブフィールド法が用いられている。サブフィールド法では、１フィールドを複数のサブフィールドに分割し、それぞれのサブフィールドで各放電セルを発光または非発光にすることにより階調表示を行う。各サブフィールドは、初期化期間、書込み期間および維持期間を有する。【０００６】
初期化期間では、各走査電極に初期化波形を印加し、各放電セルで初期化放電を発生する初期化動作を行う。これにより、各放電セルにおいて、続く書込み動作のために必要な壁電荷を形成するとともに、書込み放電を安定して発生するためのプライミング粒子（放電を発生させるための励起粒子）を発生する。【０００７】
書込み期間では、走査電極に走査パルスを順次印加するとともに、データ電極には表示すべき画像信号にもとづき選択的に書込みパルスを印加する。これにより、発光を行うべき放電セルの走査電極とデータ電極との間に書込み放電を発生し、その放電セル内に壁電荷を形成する（以下、これらの動作を総称して「書込み」とも記す）。【０００８】
維持期間では、サブフィールド毎に定められた輝度重みにもとづく数の維持パルスを走査電極と維持電極とからなる表示電極対に交互に印加する。これにより、書込み放電を発生した放電セルで維持放電を発生し、その放電セルの蛍光体層を発光させる（以下、放電セルを維持放電により発光させることを「点灯」、発光させないことを「非点灯」とも記す）。これにより、各放電セルを、輝度重みに応じた輝度で発光させる。このようにして、パネルの各放電セルを画像信号の階調値に応じた輝度で発光させて、パネルの画像表示領域に画像を表示する。【０００９】
パネルにおける画像表示品質を高める上で重要な要因の１つにコントラストの向上がある。そして、サブフィールド法の１つとして、階調表示に関係しない発光を極力減らしコントラスト比を向上させる駆動方法が開示されている。【００１０】
この駆動方法では、１フィールドを構成する複数のサブフィールドのうち、１つのサブフィールドの初期化期間では全ての放電セルに初期化放電を発生する初期化動作を行う。また、他のサブフィールドの初期化期間では直前のサブフィールドの維持期間で維持放電を発生した放電セルに対して選択的に初期化放電を発生する初期化動作を行う。【００１１】
維持放電を発生しない黒を表示する領域の輝度（以下、「黒輝度」と略記する）は画像の表示に関係のない発光、例えば、初期化放電によって生じる発光等によって変化する。そして、上述の駆動方法では、黒を表示する領域における発光は全ての放電セルに初期化動作を行うときの微弱発光だけとなる。これにより、黒輝度を低減してコントラストの高い画像を表示することが可能になる（例えば、特許文献１参照）。【００１２】
このパネルを用いたプラズマディスプレイ装置には、右目用の画像と左目用の画像とからなる立体視用の３次元画像を表示する機能を有するものがある。以下、３次元のことを「３Ｄ」（３  Ｄｉｍｅｎｓｉｏｎｓ）と記す。また、３次元画像のことを「３Ｄ画像」（３  Ｄｉｍｅｎｓｉｏｎａｌ  ｉｍａｇｅ）と記す。また、３次元画像を表示する機能のことを「３Ｄ画像表示機能」と記す。また、３次元画像表示機能を有する画像表示装置を「３Ｄ画像表示装置」とも記す。また、右目用、左目用の区別がない通常の画像を「２Ｄ画像」と記す。【００１３】
１枚の３Ｄ画像は、１枚の右目用画像と１枚の左目用画像とで構成されている。そして、このプラズマディスプレイ装置では、３Ｄ画像をパネルに表示する際には、右目用画像と左目用画像とをパネルに交互に表示する。【００１４】
そして、使用者は、右目用画像を表示するフィールドと左目用画像を表示するフィールドとのそれぞれに同期して左右のシャッタが交互に開閉するシャッタ眼鏡と呼ばれる特殊な眼鏡を用いて、パネルに表示されている３Ｄ画像を観賞する。【００１５】
シャッタ眼鏡は、右目用のシャッタと左目用のシャッタとを備え、パネルに右目用画像が表示されている期間は右目用のシャッタを開く（可視光を透過する状態のこと）とともに左目用のシャッタを閉じ（可視光を遮断する状態のこと）、左目用画像が表示されている期間は左目用のシャッタを開くとともに右目用のシャッタを閉じる。これにより、使用者は、右目用画像を右目だけで観測し、左目用画像を左目だけで観測することができ、パネルに表示される３Ｄ画像を立体視することができる。【００１６】
プラズマディスプレイ装置を用いて３Ｄ画像を立体視する方法の１つとして、例えば、複数のサブフィールドを、右目用画像を表示するサブフィールド群と左目用画像を表示するサブフィールド群とに分け、それぞれのサブフィールド群の最初のサブフィールドの書込み期間の開始に同期してシャッタ眼鏡のシャッタを開閉する方法が開示されている（例えば、特許文献２参照）。【００１７】
また、表示電極対間で駆動インピーダンスに差が生じると、表示電極対間で駆動電圧の電圧降下に差が生じる。その場合、パネルの画像表示領域内に、同じ輝度の画像信号にもかかわらず発光輝度に差が生じる複数の領域が発生することがある。そこで、表示電極対間で駆動インピーダンスが変化したときに、１フィールド内でのサブフィールドの点灯パターンを変化させる技術が開示されている（例えば、特許文献３参照）。【００１８】
パネルの大画面化、高精細化にともない、画像表示品質をより向上することが望まれている。そして、３Ｄ画像表示機能を有するプラズマディスプレイ装置においても、高い画像表示品質が望まれている。【００１９】
しかしながら、パネルに用いられている蛍光体は、蛍光体の材料に依存した残光特性を有する。この残光とは、放電終了後も蛍光体が発光を持続する現象のことである。そして、維持放電を終了した後も数ｍｓｅｃの間は残光が持続するという特性を有する蛍光体材料も存在する。そのため、右目用画像（または左目用画像）を表示する期間が終了した後も、残光時間に応じて右目用画像（または左目用画像）がパネルに表示されることになる。以下、このような現象を「残像」と記す。【００２０】
そして、右目用画像の残像が消える前に左目用画像をパネルに表示すると、左目用画像に右目用画像が混入する現象が生じる。同様に、左目用画像の残像が消える前に右目用画像をパネルに表示すると、右目用画像に左目用画像が混入する現象が生じる。以下、このような現象を「クロストーク」と記す。そして、クロストークが発生すると、３Ｄ画像としての品質が低下する。【００２１】
また、パネルの大画面化、高精細化にともない、パネルの駆動インピーダンスは増大する傾向にある。そのようなパネルでは、表示電極対間に生じる駆動インピーダンスの差も大きくなりやすく、駆動電圧の電圧降下の差も大きくなりやすい。【００２２】
サブフィールド間で駆動インピーダンスに差があると、１回の維持放電で生じる発光輝度にサブフィールド間での差が生じる。パネルをサブフィールド法で駆動する場合、上述したように、１フィールド期間を複数のサブフィールドに分割した上で、発光させるサブフィールドの組み合わせによって階調表示を行う。そのため、１回の維持放電で生じる発光輝度にサブフィールド間で差が生じると、階調の直線性（リニアリティ  Ｌｉｎｅａｒｉｔｙ）が損なわれるおそれがある。【００２３】
そして、パネルの大画面化、高精細化により駆動インピーダンスが増大したパネルでは、サブフィールド間での駆動インピーダンスの差が大きくなりやすく、サブフィールド間での発光輝度の差が生じやすいため、階調の直線性が損なわれやすい傾向にある。
【先行技術文献】
【特許文献】
【００２４】
【特許文献１】特開２０００−２４２２２４号公報
【特許文献２】特開２０００−１１２４２８号公報
【特許文献３】特開２００６−１８４８４３号公報
【発明の概要】
【００２５】
本発明は、走査電極と維持電極とからなる表示電極対を有する放電セルを複数備えたパネルと、輝度重みが設定された維持期間を有するサブフィールドを複数用いて１フィールドを構成し、右目用画像信号および左目用画像信号を有する画像信号にもとづき右目用画像信号を表示する右目用フィールドと左目用画像信号を表示する左目用フィールドとを交互に繰り返してパネルに画像を表示する駆動回路とを備えたプラズマディスプレイ装置である。駆動回路は、維持期間に輝度重みに応じた数の維持パルスを発生し、表示電極対の走査電極と維持電極とに交互に印加する維持パルス発生回路と、パネルに右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とからなるシャッタ開閉用タイミング信号と維持パルス発生回路を制御する制御信号とを発生する制御信号発生回路と、パネルの画像表示領域における放電セルの数に対する点灯するべき放電セルの数の割合を全セル点灯率としてサブフィールド毎に検出する全セル点灯率検出回路と、パネルの画像表示領域を複数の領域に分け、領域のそれぞれにおいて、放電セルの数に対する点灯するべき放電セルの数の割合を部分点灯率としてサブフィールド毎に検出する部分点灯率検出回路とを有する。そして、駆動回路は、それぞれのサブフィールドの維持パルスの発生数を、全セル点灯率および部分点灯率に応じて補正し、維持パルス発生回路から補正後の発生数で維持パルスを発生する。
【００２６】
これにより、３Ｄ画像表示機能を有するプラズマディスプレイ装置において、シャッタ眼鏡を通して３Ｄ画像を観賞する使用者に対して、表示画像における階調の直線性を保ちつつ右目用画像と左目用画像との間に生じるクロストークを低減した３Ｄ画像を表示して、画像表示品質を高めることができる。
【００２７】
また、本発明のプラズマディスプレイ装置における駆動回路は、フィールドの先頭サブフィールドおよび最終サブフィールドを除くサブフィールドにおいて、維持パルスの発生数を、全セル点灯率および部分点灯率に応じて補正する構成であってもよい。
【００２８】
また、本発明のプラズマディスプレイ装置における駆動回路は、先頭サブフィールドを輝度重みの最も小さいサブフィールドとするとともに、最終サブフィールドを先頭サブフィールドと同じ輝度重みかまたは２番目に輝度重みの小さいサブフィールドとする構成であってもよい。
【００２９】
また、本発明のプラズマディスプレイ装置における駆動回路は、部分点灯率が所定のしきい値を超える領域における部分点灯率の平均値をサブフィールド毎に算出し、フィールドの先頭サブフィールドおよび最終サブフィールドを除くサブフィールドにおいて、維持パルスの発生数を、全セル点灯率および部分点灯率の平均値に応じて補正する構成であってもよい。
【００３０】
また、本発明のプラズマディスプレイ装置における駆動回路は、１対の表示電極対を１つの領域とし、表示電極対毎に部分点灯率を検出する構成であってもよい。
【００３１】
また、本発明のプラズマディスプレイ装置における駆動回路は、維持パルスの立ち上がり期間および立ち下がり期間の少なくとも一方の長さが異なる複数の維持パルスを維持パルス発生回路から発生するとともに、発生する維持パルスの組み合わせが異なる複数の駆動パターンの中から、全セル点灯率および部分点灯率に応じていずれか１つの駆動パターンを選択して維持パルスを発生する構成であってもよい。
【００３２】
また、本発明は、走査電極と維持電極とからなる表示電極対を有する放電セルを複数備えたパネルと、輝度重みが設定された維持期間を有するサブフィールドを複数用いて１フィールドを構成し、右目用画像信号および左目用画像信号を有する画像信号にもとづき右目用画像信号を表示する右目用フィールドと左目用画像信号を表示する左目用フィールドとを交互に繰り返してパネルに画像を表示する駆動回路とを備えたプラズマディスプレイ装置と、それぞれ独立にシャッタの開閉が可能な右目用シャッタおよび左目用シャッタを有し、制御信号発生回路で発生したシャッタ開閉用タイミング信号でシャッタの開閉が制御されるシャッタ眼鏡とを備えたプラズマディスプレイシステムである。駆動回路は、維持期間に輝度重みに応じた数の維持パルスを発生し、表示電極対の走査電極と維持電極とに交互に印加する維持パルス発生回路と、パネルに右目用フィールドを表示するときにオンとなり左目用フィールドを表示するときにオフとなる右目用タイミング信号と、左目用フィールドを表示するときにオンとなり右目用フィールドを表示するときにオフとなる左目用タイミング信号とからなるシャッタ開閉用タイミング信号と、維持パルス発生回路を制御する制御信号とを発生する制御信号発生回路と、パネルの画像表示領域における放電セルの数に対する点灯するべき放電セルの数の割合を全セル点灯率としてサブフィールド毎に検出する全セル点灯率検出回路と、パネルの画像表示領域を複数の領域に分け、領域のそれぞれにおいて、放電セルの数に対する点灯するべき放電セルの数の割合を部分点灯率としてサブフィールド毎に検出する部分点灯率検出回路とを有する。そして、駆動回路は、フィールドの先頭サブフィールドおよび最終サブフィールドを除くサブフィールドの維持パルスの発生数を、全セル点灯率および部分点灯率に応じて補正し、維持パルス発生回路から補正後の発生数で維持パルスを発生する。
【００３３】
これにより、３Ｄ画像表示機能を有するプラズマディスプレイ装置において、シャッタ眼鏡を通して３Ｄ画像を観賞する使用者に対して、表示画像における階調の直線性を保ちつつ右目用画像と左目用画像との間に生じるクロストークを低減した３Ｄ画像を表示して、画像表示品質を高めることができる。
【００３４】
また、本発明は、走査電極と維持電極とからなる表示電極対を有する放電セルを複数備えたパネルの駆動方法である。そして、輝度重みが設定された維持期間を有するサブフィールドを複数用いて１フィールドを構成し、右目用画像信号および左目用画像信号を有する画像信号にもとづき右目用画像信号を表示する右目用フィールドと左目用画像信号を表示する左目用フィールドとを交互に繰り返してパネルに画像を表示する。そして、パネルの画像表示領域における放電セルの数に対する点灯するべき放電セルの数の割合を全セル点灯率としてサブフィールド毎に検出するとともに、プラズマディスプレイパネルの画像表示領域を複数の領域に分け、領域のそれぞれにおいて、放電セルの数に対する点灯するべき放電セルの数の割合を部分点灯率としてサブフィールド毎に検出する。そして、フィールドの先頭サブフィールドおよび最終サブフィールドを除くサブフィールドの維持パルスの発生数を、全セル点灯率および前記部分点灯率に応じて補正する。
【００３５】
これにより、３Ｄ画像表示機能を有するプラズマディスプレイ装置において、シャッタ眼鏡を通して３Ｄ画像を観賞する使用者に対して、表示画像における階調の直線性を保ちつつ右目用画像と左目用画像との間に生じるクロストークを低減した３Ｄ画像を表示して、画像表示品質を高めることができる。
【図面の簡単な説明】
【００３６】
【図１】図１は、本発明の実施の形態１におけるプラズマディスプレイ装置に用いるパネルの構造を示す分解斜視図である。
【図２】図２は、本発明の実施の形態１におけるプラズマディスプレイ装置に用いるパネルの電極配列図である。
【図３】図３は、本発明の実施の形態１におけるプラズマディスプレイ装置の回路ブロックおよびプラズマディスプレイシステムの概要を概略的に示す図である。
【図４】図４は、本発明の実施の形態１における維持パルス発生回路の一構成例を示す回路図である。
【図５】図５は、本発明の実施の形態１におけるプラズマディスプレイ装置に用いるパネルの各電極に印加する駆動電圧波形を概略的に示す図である。
【図６】図６は、本発明の実施の形態１におけるプラズマディスプレイ装置に用いるパネルの各電極に印加する駆動電圧波形およびシャッタ眼鏡の開閉動作を概略的に示す波形図である。
【図７】図７は、本発明の実施の形態１におけるプラズマディスプレイ装置に３Ｄ画像を表示する際のサブフィールド構成と右目用シャッタおよび左目用シャッタの開閉状態を概略的に示す図である。
【図８Ａ】図８Ａは、点灯領域をパネルの画像表示領域の８０％に設定したときのパネルの発光状態を概略的に示した図である。
【図８Ｂ】図８Ｂは、点灯領域をパネルの画像表示領域の２０％に設定したときのパネルの発光状態を概略的に示した図である。
【図９Ａ】図９Ａは、点灯領域をパネルの画像表示領域の５０％に設定したときのパネルの発光状態を概略的に示した図である。
【図９Ｂ】図９Ｂは、点灯領域をパネルの画像表示領域の２５％に設定したときのパネルの発光状態を概略的に示した図である。
【図１０】図１０は、本発明の実施の形態１における補正係数を設定するために行う発光輝度の測定を概略的に示す図である。
【図１１】図１１は、本発明の実施の形態１における補正係数の一例を示す図である。
【図１２】図１２は、本発明の実施の形態１における維持パルス数補正部の回路ブロックの一例を示す図である。
【図１３】図１３は、本発明の実施の形態２におけるプラズマディスプレイ装置の回路ブロック図である。
【図１４】図１４は、本発明の実施の形態２における全セル点灯率および部分点灯率の平均値と駆動パターンの切り換えとの関係の一例を示す図である。
【図１５】図１５は、本発明の実施の形態２における第１駆動パターンで発生する維持パルスの波形形状を概略的に示す図である。
【図１６】図１６は、本発明の実施の形態２における第２駆動パターンで発生する維持パルスの波形形状を概略的に示す図である。
【図１７】図１７は、本発明の実施の形態２における第３駆動パターンで発生する維持パルスの波形形状を概略的に示す図である。
【図１８】図１８は、本発明の実施の形態２における第４駆動パターンで発生する維持パルスの波形形状を概略的に示す図である。
【図１９】図１９は、本発明の実施の形態２における第５駆動パターンで発生する維持パルスの波形形状を概略的に示す図である。
【図２０】図２０は、本発明の実施の形態２における第６駆動パターンで発生する維持パルスの波形形状を概略的に示す図である。
【発明を実施するための形態】
【００３７】
以下、本発明の実施の形態におけるプラズマディスプレイ装置およびプラズマディスプレイシステムについて、図面を用いて説明する。
【００３８】
（実施の形態１）
図１は、本発明の実施の形態１におけるプラズマディスプレイ装置に用いるパネル１０の構造を示す分解斜視図である。ガラス製の前面基板２１上には、走査電極２２と維持電極２３とからなる表示電極対２４が複数形成されている。そして、走査電極２２と維持電極２３とを覆うように誘電体層２５が形成され、その誘電体層２５上に保護層２６が形成されている。
【００３９】
この保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れた酸化マグネシウム（ＭｇＯ）を主成分とする材料で形成されている。
【００４０】
背面基板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）に発光する蛍光体層３５Ｒ、緑色（Ｇ）に発光する蛍光体層３５Ｇ、および青色（Ｂ）に発光する蛍光体層３５Ｂが設けられている。以下、蛍光体層３５Ｒ、蛍光体層３５Ｇ、蛍光体層３５Ｂをまとめて蛍光体層３５とも記す。
【００４１】
本実施の形態においては、青色蛍光体としてＢａＭｇＡｌ１０Ｏ１７：Ｅｕを用い、緑色蛍光体としてＺｎ２ＳｉＯ４：Ｍｎを用い、赤色蛍光体として（Ｙ、Ｇｄ）ＢＯ３：Ｅｕを用いている。しかし、本発明は蛍光体層３５を形成する蛍光体が何ら上述の蛍光体に限定されるものではない。
【００４２】
なお、蛍光体の残光が減衰する時間を表す時定数は、蛍光体材料により異なるが、青色蛍光体が１ｍｓｅｃ以下、緑色蛍光体が２ｍｓｅｃ〜５ｍｓｅｃ程度、赤色蛍光体が３ｍｓｅｃ〜４ｍｓｅｃ程度である。例えば、本実施の形態において、蛍光体層３５Ｂの時定数は約０．１ｍｓｅｃ程度であり、蛍光体層３５Ｇおよび蛍光体層３５Ｒの時定数は約３ｍｓｅｃ程度である。なお、この時定数は、放電終了後、放電発生時の発光輝度（ピーク輝度）の１０％程度まで残光が減衰するのに要する時間とする。
【００４３】
これら前面基板２１と背面基板３１とを、微小な放電空間を挟んで表示電極対２４とデータ電極３２とが交差するように対向配置する。そして、その外周部をガラスフリット等の封着材によって封着する。そして、その内部の放電空間には、例えばネオンとキセノンの混合ガスを放電ガスとして封入する。
【００４４】
放電空間は隔壁３４によって複数の区画に仕切られており、表示電極対２４とデータ電極３２とが交差する部分に放電セルが形成されている。
【００４５】
そして、これらの放電セルで放電を発生し、放電セルの蛍光体層３５を発光（放電セルを点灯）することにより、パネル１０にカラーの画像を表示する。
【００４６】
なお、パネル１０においては、表示電極対２４が延伸する方向に配列された連続する３つの放電セル、すなわち、赤色（Ｒ）に発光する放電セルと、緑色（Ｇ）に発光する放電セルと、青色（Ｂ）に発光する放電セルの３つの放電セルで１つの画素が構成される。
【００４７】
なお、パネル１０の構造は上述したものに限られるわけではなく、例えばストライプ状の隔壁を備えたものであってもよい。
【００４８】
図２は、本発明の実施の形態１におけるプラズマディスプレイ装置に用いるパネル１０の電極配列図である。パネル１０には、水平方向（行方向）に延長されたｎ本の走査電極ＳＣ１〜走査電極ＳＣｎ（図１の走査電極２２）およびｎ本の維持電極ＳＵ１〜維持電極ＳＵｎ（図１の維持電極２３）が配列され、垂直方向（列方向）に延長されたｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成される。すなわち、１対の表示電極対２４上には、ｍ個の放電セルが形成され、ｍ／３個の画素が形成される。そして、放電セルは放電空間内にｍ×ｎ個形成され、ｍ×ｎ個の放電セルが形成された領域がパネル１０の画像表示領域となる。例えば、画素数が１９２０×１０８０個のパネルでは、ｍ＝１９２０×３となり、ｎ＝１０８０となる。
【００４９】
そして、例えば、データ電極Ｄｐ（ｐ＝３×ｑ−２  ：  ｑはｍ／３以下の０を除く整数）を有する放電セルには赤の蛍光体が蛍光体層３５Ｒとして塗布され、データ電極Ｄｐ＋１を有する放電セルには緑の蛍光体が蛍光体層３５Ｇとして塗布され、データ電極Ｄｐ＋２を有する放電セルには青の蛍光体が蛍光体層３５Ｂとして塗布されている。
【００５０】
図３は、本発明の実施の形態１におけるプラズマディスプレイ装置１の回路ブロックおよびプラズマディスプレイシステムの概要を概略的に示す図である。本実施の形態に示すプラズマディスプレイシステムは、プラズマディスプレイ装置１とシャッタ眼鏡５０とを構成要素に含む。
【００５１】
プラズマディスプレイ装置１は、走査電極２２と維持電極２３とデータ電極３２とを有する放電セルを複数配列したパネル１０と、パネル１０を駆動する駆動回路とを備えている。駆動回路は、画像信号処理回路４１、全セル点灯率検出回路４６、部分点灯率検出回路４７、データ電極駆動回路４２、走査電極駆動回路４３、維持電極駆動回路４４、制御信号発生回路４５、および各回路ブロックに必要な電源を供給する電源回路（図示せず）を備えている。
【００５２】
駆動回路は、３Ｄ画像信号にもとづき右目用フィールドと左目用フィールドとを交互に繰り返してパネル１０に３Ｄ画像を表示する３Ｄ駆動と、右目用、左目用の区別がない２Ｄ画像信号にもとづきパネル１０に２Ｄ画像を表示する２Ｄ駆動とのいずれかでパネル１０を駆動する。また、プラズマディスプレイ装置１は、使用者が使用するシャッタ眼鏡５０のシャッタの開閉を制御するシャッタ開閉用タイミング信号をシャッタ眼鏡５０に出力するタイミング信号出力部４９を備えている。シャッタ眼鏡５０は、３Ｄ画像をパネル１０に表示するときに使用者が使用するものであり、使用者はシャッタ眼鏡５０を通して３Ｄ画像を観賞することで３Ｄ画像を立体視することができる。
【００５３】
画像信号処理回路４１は、２Ｄ画像信号または３Ｄ画像信号が入力され、入力された画像信号にもとづき、各放電セルに階調値を割り当てる。そして、その階調値を、サブフィールド毎の発光・非発光を示す画像データ（発光・非発光をデジタル信号の「１」、「０」に対応させたデータのこと）に変換する。すなわち、画像信号処理回路４１は、１フィールド毎の画像信号をサブフィールド毎の発光・非発光を示す画像データに変換する。
【００５４】
画像信号処理回路４１に入力される画像信号が、赤の原色信号ｓｉｇＲ、緑の原色信号ｓｉｇＧ、青の原色信号ｓｉｇＢを含むときには、画像信号処理回路４１は、原色信号ｓｉｇＲ、原色信号ｓｉｇＧ、原色信号ｓｉｇＢにもとづき、各放電セルにＲ、Ｇ、Ｂの各階調値を割り当てる。また、入力される画像信号が輝度信号（Ｙ信号）および彩度信号（Ｃ信号、またはＲ−Ｙ信号およびＢ−Ｙ信号、またはｕ信号およびｖ信号等）を含むときには、その輝度信号および彩度信号にもとづき原色信号ｓｉｇＲ、原色信号ｓｉｇＧ、原色信号ｓｉｇＢを算出し、その後、各放電セルにＲ、Ｇ、Ｂの各階調値（１フィールドで表現される階調値）を割り当てる。そして、各放電セルに割り当てたＲ、Ｇ、Ｂの階調値を、サブフィールド毎の発光・非発光を示す画像データに変換する。
【００５５】
また、入力される画像信号が、右目用画像信号と左目用画像信号とを有する立体視用の３Ｄ画像信号であり、その３Ｄ画像信号をパネル１０に表示する際には、右目用画像信号と左目用画像信号とがフィールド毎に交互に画像信号処理回路４１に入力される。したがって、画像信号処理回路４１は、右目用画像信号を右目用画像データに変換し、左目用画像信号を左目用画像データに変換する。
【００５６】
全セル点灯率検出回路４６は、サブフィールド毎の画像データにもとづき、サブフィールド毎に、点灯するべき放電セルの数を算出する。そして、パネル１０の画像表示領域における全ての放電セルの数に対する点灯するべき放電セルの数の割合を「全セル点灯率」としてサブフィールド毎に検出する。そして、検出した全セル点灯率を表す信号を制御信号発生回路４５に出力する。
【００５７】
部分点灯率検出回路４７は、パネル１０の画像表示領域を複数の領域に分け、サブフィールド毎の画像データにもとづき、領域毎かつサブフィールド毎に、各領域の放電セルの数に対する点灯するべき放電セルの数の割合を「部分点灯率」として検出する。なお、部分点灯率検出回路４７は、例えば、走査電極２２を駆動するＩＣ（以下、「走査ＩＣ」と呼称する）の１つに接続された複数の走査電極２２で構成される領域を１つの領域として部分点灯率を検出する構成であってもよいが、本実施の形態では、１対の表示電極対２４上に形成される放電セルで構成される領域を１つの領域と見なして部分点灯率を検出するものとする。
【００５８】
また、部分点灯率検出回路４７は、平均値検出回路４８を有する。平均値検出回路４８は、部分点灯率検出回路４７において検出した部分点灯率をあらかじめ定めた所定のしきい値と比較する。以下、この所定のしきい値を「部分点灯率しきい値」と呼称する。そして、平均値検出回路４８は、部分点灯率が部分点灯率しきい値以下になる表示電極対２４を除く表示電極対２４の平均値をサブフィールド毎に算出する。すなわち、平均値検出回路４８は、部分点灯率が部分点灯率しきい値を超える表示電極対２４における部分点灯率の平均値をサブフィールド毎に算出する。そして、平均値検出回路４８は、その結果を表す信号を制御信号発生回路４５に出力する。例えば、パネル１０に設けた表示電極対２４が１０８０対であり、あるサブフィールドにおいて２００対の表示電極対２４の部分点灯率が部分点灯率しきい値以下であれば、平均値検出回路４８は、そのサブフィールドでは、部分点灯率が部分点灯率しきい値よりも大きい８８０対の表示電極対２４に関して部分点灯率の平均値を算出する。
【００５９】
なお、本実施の形態では、部分点灯率しきい値を「０％」に設定する。これは、点灯するべき放電セルが実質的に発生しない表示電極対２４を、部分点灯率の平均値を算出する対象から除外するためである。
【００６０】
しかし、本発明は、部分点灯率しきい値が何ら上述した数値に限定されるものではない。部分点灯率しきい値は、パネル１０の特性やプラズマディスプレイ装置１の仕様等にもとづいて最適な値に設定することが望ましい。
【００６１】
なお、本実施の形態においては、全セル点灯率および部分点灯率を算出する際に百分率表示のための正規化演算を行う構成とする。しかし、必ずしも正規化演算を行う必要はなく、例えば、算出した点灯するべき放電セルの数を全セル点灯率および部分点灯率として用いる構成であってもかまわない。以下、点灯するべき放電セルを「点灯セル」、点灯させない放電セルを「非点灯セル」とも記す。
【００６２】
制御信号発生回路４５は、入力信号にもとづき２Ｄ画像信号および３Ｄ画像信号のいずれがプラズマディスプレイ装置１に入力されているのかを判別する。そして、その判別結果にもとづき、２Ｄ画像または３Ｄ画像をパネル１０に表示するために、各駆動回路を制御する制御信号を発生する。
【００６３】
具体的には、制御信号発生回路４５は、入力信号のうちの水平同期信号および垂直同期信号の周波数からプラズマディスプレイ装置１への入力信号が３Ｄ画像信号なのか２Ｄ画像信号なのかを判断する。例えば、水平同期信号が３３．７５ｋＨｚ、垂直同期信号が６０Ｈｚであれば入力信号を２Ｄ画像信号と判断し、水平同期信号が６７．５ｋＨｚ、垂直同期信号が１２０Ｈｚであれば入力信号を３Ｄ画像信号と判断する。
【００６４】
そして、制御信号発生回路４５は、水平同期信号Ｈ、垂直同期信号Ｖ、全セル点灯率検出回路４６からの出力および部分点灯率検出回路４７からの出力にもとづき、各回路ブロックの動作を制御する各種の制御信号を発生する。そして、発生した制御信号をそれぞれの回路ブロック（データ電極駆動回路４２、走査電極駆動回路４３、維持電極駆動回路４４、および画像信号処理回路４１等）へ供給する。
【００６５】
なお、入力信号に２Ｄ画像信号と３Ｄ画像信号とを判別するための判別信号が付加されているときには、制御信号発生回路４５は、その判別信号にもとづき、２Ｄ画像信号および３Ｄ画像信号のいずれが入力されているのかを判別する構成であってもよい。
【００６６】
なお、本実施の形態では、維持パルスの発生数を、全セル点灯率および部分点灯率の平均値に応じて変更する。具体的には、制御信号発生回路４５において、入力画像信号およびサブフィールド毎に設定された輝度重みにもとづき、各サブフィールドにおける維持パルスの発生数を一旦設定する。その後、全セル点灯率および部分点灯率の平均値にもとづく補正係数で維持パルスの発生数を補正する。こうして、制御信号発生回路４５は維持パルスの発生数を変更する。そのために、制御信号発生回路４５は、全セル点灯率および部分点灯率の平均値にもとづき維持パルスの発生数を補正することができる維持パルス数補正部を有する（図示せず）。
【００６７】
本実施の形態では、この維持パルス数補正部に、ルックアップテーブルを有する。このルックアップテーブルには、互いに異なる複数の補正係数が、全セル点灯率および部分点灯率に関連付けてあらかじめ記憶してあり、そのうちのいずれか１つの補正係数を全セル点灯率および部分点灯率の平均値に応じて読み出すことができる。これらの構成の詳細は後述する。しかし、本発明は何らこの構成に限定されるものではなく、同様の動作をするものであればどのような構成であってもよい。
【００６８】
また、制御信号発生回路４５は、３Ｄ画像をパネル１０に表示する際に、シャッタ眼鏡５０のシャッタの開閉を制御するシャッタ開閉用タイミング信号をタイミング信号出力部４９に出力する。なお、制御信号発生回路４５は、シャッタ眼鏡５０のシャッタを開く（可視光を透過する状態にする）ときにはシャッタ開閉用タイミング信号をオン（「１」）にし、シャッタ眼鏡５０のシャッタを閉じる（可視光を遮断する状態にする）ときにはシャッタ開閉用タイミング信号をオフ（「０」）にする。
【００６９】
また、シャッタ開閉用タイミング信号は、パネル１０に３Ｄ画像の右目用画像信号にもとづく右目用フィールドを表示するときにオンとなり、左目用画像信号にもとづく左目用フィールドを表示するときにオフとなる右目用タイミング信号（右目シャッタ開閉用タイミング信号）と、３Ｄ画像の左目用画像信号にもとづく左目用フィールドを表示するときにオンとなり、右目用画像信号にもとづく右目用フィールドを表示するときにオフとなる左目用タイミング信号（左目シャッタ開閉用タイミング信号）とからなる。
【００７０】
なお、本実施の形態では、制御信号発生回路４５は、３Ｄ駆動時に、先頭サブフィールドの初期化期間は右目用シャッタおよび左目用シャッタがともに閉じた状態となり、右目用フィールドにおける先頭サブフィールドの維持期間は右目用シャッタの透過率の平均値が１００％未満となり、左目用フィールドにおける先頭サブフィールドの維持期間は左目用シャッタの透過率の平均値が１００％未満となるようにシャッタ開閉用タイミング信号を発生する。この詳細については後述する。
【００７１】
なお、本実施の形態において、水平同期信号および垂直同期信号の周波数は、何ら上述した数値に限定されるものではない。
【００７２】
タイミング信号出力部４９は、ＬＥＤ（Ｌｉｇｈｔ  Ｅｍｉｔｔｉｎｇ  Ｄｉｏｄｅ）等の発光素子を有する。そして、シャッタ開閉用タイミング信号を、例えば赤外線の信号に変換してシャッタ眼鏡５０に供給する。
【００７３】
データ電極駆動回路４２は、２Ｄ画像信号にもとづく画像データ、または、３Ｄ画像信号にもとづく右目用画像データおよび左目用画像データを構成するサブフィールド毎のデータを、各データ電極Ｄ１〜データ電極Ｄｍに対応する信号に変換する。そして、その信号、および制御信号発生回路４５から供給される制御信号にもとづき、各データ電極Ｄ１〜データ電極Ｄｍを駆動する。書込み期間では書込みパルスを発生し、各データ電極Ｄ１〜データ電極Ｄｍに印加する。
【００７４】
走査電極駆動回路４３は、初期化波形発生回路（図３には示さず）、維持パルス発生回路８０、走査パルス発生回路（図３には示さず）を備え、制御信号発生回路４５から供給される制御信号にもとづいて駆動電圧波形を作成し、走査電極ＳＣ１〜走査電極ＳＣｎのそれぞれに印加する。初期化波形発生回路は、初期化期間に、制御信号にもとづいて走査電極ＳＣ１〜走査電極ＳＣｎに印加する初期化波形を発生する。維持パルス発生回路８０は、維持期間に、制御信号にもとづいて走査電極ＳＣ１〜走査電極ＳＣｎに印加する維持パルスを発生する。走査パルス発生回路は、複数の走査電極駆動ＩＣ（走査ＩＣ）を備え、書込み期間に、制御信号にもとづいて走査電極ＳＣ１〜走査電極ＳＣｎに印加する走査パルスを発生する。
【００７５】
維持電極駆動回路４４は、維持パルス発生回路６０、および電圧Ｖｅ１、電圧Ｖｅ２を発生する回路（図３には示さず）を備え、制御信号発生回路４５から供給される制御信号にもとづいて駆動電圧波形を作成し、維持電極ＳＵ１〜維持電極ＳＵｎのそれぞれに印加する。維持期間では、制御信号にもとづいて維持パルスを発生し、維持電極ＳＵ１〜維持電極ＳＵｎに印加する。
【００７６】
シャッタ眼鏡５０は、タイミング信号出力部４９から出力される信号（例えば赤外線の信号）を受信する信号受信部と（図示せず）、右目用シャッタ５２Ｒおよび左目用シャッタ５２Ｌとを有する。右目用シャッタ５２Ｒおよび左目用シャッタ５２Ｌは、それぞれ独立にシャッタの開閉が可能である。そして、シャッタ眼鏡５０は、タイミング信号出力部４９から供給されるシャッタ開閉用タイミング信号にもとづいて右目用シャッタ５２Ｒおよび左目用シャッタ５２Ｌを開閉する。
【００７７】
右目用シャッタ５２Ｒは、右目用タイミング信号がオンのときには開き（可視光を透過し）、オフのときには閉じる（可視光を遮断する）。左目用シャッタ５２Ｌは、左目用タイミング信号がオンのときには開き（可視光を透過し）、オフのときには閉じる（可視光を遮断する）。
【００７８】
右目用シャッタ５２Ｒおよび左目用シャッタ５２Ｌは、例えば液晶を用いて構成することができる。ただし、本発明は、シャッタを構成する材料が何ら液晶に限定されるものではなく、可視光の遮断と透過とを高速に切り換えることができるものであればどのようなものであってもかまわない。
【００７９】
次に、維持パルス発生回路８０、維持パルス発生回路６０の詳細とその動作について説明する。図４は、本発明の実施の形態１における維持パルス発生回路８０、維持パルス発生回路６０の一構成例を示す回路図である。なお、図４にはパネル１０の電極間容量をＣｐと示し、走査パルスおよび初期化電圧波形を発生する回路は省略している。
【００８０】
維持パルス発生回路８０は、電力回収回路８１とクランプ回路８２とを備えている。電力回収回路８１およびクランプ回路８２は、走査パルス発生回路（維持期間中は短絡状態となるため図４には示さず）を介してパネル１０の電極間容量Ｃｐの一端である走査電極ＳＣ１〜走査電極ＳＣｎに接続されている。
【００８１】
電力回収回路８１は、電力回収用のコンデンサＣ１０、スイッチング素子Ｑ１１、スイッチング素子Ｑ１２、逆流防止用のダイオードＤ１１、逆流防止用のダイオードＤ１２、共振用のインダクタＬ１０を有する。そして、電極間容量ＣｐとインダクタＬ１０とをＬＣ共振させて維持パルスの立ち上がりおよび立ち下がりを行う。このように、電力回収回路８１は、電源から電力を供給されることなく、ＬＣ共振によって走査電極ＳＣ１〜走査電極ＳＣｎの駆動を行う。そのため、クランプ回路８２と比較して出力インピーダンスは高いが、理想的には消費電力が０となる。なお、電力回収用のコンデンサＣ１０は電極間容量Ｃｐに比べて十分に大きい容量を持ち、電力回収回路８１の電源として働くように、電圧値Ｖｓの半分の約Ｖｓ／２に充電されている。
【００８２】
クランプ回路８２は、走査電極ＳＣ１〜走査電極ＳＣｎを電圧Ｖｓにクランプするためのスイッチング素子Ｑ１３、走査電極ＳＣ１〜走査電極ＳＣｎをベース電位である０（Ｖ）にクランプするためのスイッチング素子Ｑ１４を有する。そして、スイッチング素子Ｑ１３を介して走査電極ＳＣ１〜走査電極ＳＣｎを電源ＶＳに接続して電圧Ｖｓにクランプする。また、スイッチング素子Ｑ１４を介して走査電極ＳＣ１〜走査電極ＳＣｎを接地して０（Ｖ）にクランプする。したがって、クランプ回路８２から走査電極ＳＣ１〜走査電極ＳＣｎに電圧を印加するときのインピーダンスは小さく、クランプ回路８２は強い維持放電を発生する際に生じる大きな放電電流を安定して流すことができる。
【００８３】
そして、維持パルス発生回路８０は、制御信号発生回路４５から出力される制御信号により、スイッチング素子Ｑ１１、スイッチング素子Ｑ１２、スイッチング素子Ｑ１３、スイッチング素子Ｑ１４の各スイッチング素子の導通と遮断とを切り換えて電力回収回路８１とクランプ回路８２とを動作し、維持パルスを発生する。なお、図４では、制御信号の信号経路の詳細は省略する。
【００８４】
例えば、維持パルスを立ち上げる際には、スイッチング素子Ｑ１１をオンにして電極間容量ＣｐとインダクタＬ１０とを共振させ、電力回収用のコンデンサＣ１０からスイッチング素子Ｑ１１、ダイオードＤ１１、インダクタＬ１０を通して走査電極ＳＣ１〜走査電極ＳＣｎに電力を供給する。そして、走査電極ＳＣ１〜走査電極ＳＣｎの電圧が電圧Ｖｓに近づいた時点で、スイッチング素子Ｑ１３をオンにする。これにより、走査電極ＳＣ１〜走査電極ＳＣｎを駆動する回路を電力回収回路８１からクランプ回路８２に切り換え、走査電極ＳＣ１〜走査電極ＳＣｎを電圧Ｖｓにクランプする。
【００８５】
逆に、維持パルスを立ち下げる際には、スイッチング素子Ｑ１２をオンにして電極間容量ＣｐとインダクタＬ１０とを共振させ、電極間容量ＣｐからインダクタＬ１０、ダイオードＤ１２、スイッチング素子Ｑ１２を通して電力回収用のコンデンサＣ１０に電力を回収する。そして、走査電極ＳＣ１〜走査電極ＳＣｎの電圧が０（Ｖ）に近づいた時点で、スイッチング素子Ｑ１４をオンにする。これにより、走査電極ＳＣ１〜走査電極ＳＣｎを駆動する回路を電力回収回路８１からクランプ回路８２に切り換え、走査電極ＳＣ１〜走査電極ＳＣｎをベース電位である０（Ｖ）にクランプする。
【００８６】
このようにして、維持パルス発生回路８０は、維持パルスを発生する。なお、これらのスイッチング素子は、ＭＯＳＦＥＴ（Ｍｅｔａｌ  Ｏｘｉｄｅ  Ｓｅｍｉｃｏｎｄｕｃｔｏｒ  Ｆｉｅｌｄ  Ｅｆｆｅｃｔ  Ｔｒａｎｓｉｓｔｏｒ）やＩＧＢＴ（Ｉｎｓｕｌａｔｅｄ  Ｇａｔｅ  Ｂｉｐｏｌａｒ  Ｔｒａｎｓｉｓｔｏｒ）等の一般に知られた素子を用いて構成することができる。
【００８７】
維持パルス発生回路６０は、維持パルス発生回路８０とほぼ同様の構成であり、電力回収回路６１とクランプ回路６２とを備えている。電力回収回路６１は、電力回収用のコンデンサＣ２０、スイッチング素子Ｑ２１、スイッチング素子Ｑ２２、逆流防止用のダイオードＤ２１、逆流防用のダイオードＤ２２、共振用のインダクタＬ２０を有し、維持電極ＳＵ１〜維持電極ＳＵｎを駆動するときの電力を回収して再利用する。クランプ回路６２は、維持電極ＳＵ１〜維持電極ＳＵｎを電圧Ｖｓにクランプするためのスイッチング素子Ｑ２３、および維持電極ＳＵ１〜維持電極ＳＵｎを接地電位（０（Ｖ））にクランプするためのスイッチング素子Ｑ２４を有する。そして、維持パルス発生回路６０は、パネル１０の電極間容量Ｃｐの一端である維持電極ＳＵ１〜維持電極ＳＵｎに接続されている。
【００８８】
そして、維持パルス発生回路６０は、制御信号発生回路４５から出力される制御信号によりスイッチング素子Ｑ２１、スイッチング素子Ｑ２２、スイッチング素子Ｑ２３、スイッチング素子Ｑ２４の各スイッチング素子の導通と遮断とを切り換えて電力回収回路６１とクランプ回路６２とを動作し、維持パルスを発生する。維持パルス発生回路６０のこれらの動作は維持パルス発生回路８０と同様であるので説明を省略する。
【００８９】
また、図４には、電圧Ｖｅ１を発生する電源ＶＥ１、電圧Ｖｅ１を維持電極ＳＵ１〜ＳＵｎに印加するためのスイッチング素子Ｑ２６、スイッチング素子Ｑ２７、電圧ΔＶｅを発生する電源ΔＶＥ、逆流防止用のダイオードＤ３０、電圧Ｖｅ１に電圧ΔＶｅを重畳するチャージポンプ用のコンデンサＣ３０、電圧Ｖｅ１に電圧ΔＶｅを重畳して電圧Ｖｅ２とするためのスイッチング素子Ｑ２８、スイッチング素子Ｑ２９を示す。
【００９０】
例えば、電圧Ｖｅ１を印加するタイミングでは、スイッチング素子Ｑ２６、スイッチング素子Ｑ２７を導通し、ダイオードＤ３０、スイッチング素子Ｑ２６、スイッチング素子Ｑ２７を介して維持電極ＳＵ１〜維持電極ＳＵｎに正の電圧Ｖｅ１を印加する。このときスイッチング素子Ｑ２８を導通し、コンデンサＣ３０の電圧が電圧Ｖｅ１になるように充電する。また、電圧Ｖｅ２を印加するタイミングでは、スイッチング素子Ｑ２６、スイッチング素子Ｑ２７は導通したまま、スイッチング素子Ｑ２８を遮断するとともにスイッチング素子Ｑ２９を導通してコンデンサＣ３０の電圧に電圧ΔＶｅを重畳する。こうして、維持電極ＳＵ１〜維持電極ＳＵｎに電圧Ｖｅ１＋ΔＶｅ、すなわち電圧Ｖｅ２を印加する。このとき、逆流防止用のダイオードＤ３０の働きにより、コンデンサＣ３０から電源ＶＥ１への電流は遮断される。
【００９１】
なお、電圧Ｖｅ１、電圧Ｖｅ２を印加する回路は、何ら図４に示した回路に限定されるものではない。例えば、電圧Ｖｅ１を発生する電源と、電圧Ｖｅ２を発生する電源と、それぞれの電圧を維持電極ＳＵ１〜維持電極ＳＵｎに印加するための複数のスイッチング素子とを用いて、各電圧を必要なタイミングで維持電極ＳＵ１〜維持電極ＳＵｎに印加する構成としてもよい。
【００９２】
なお、インダクタＬ１０と電極間容量ＣｐとのＬＣ共振の周期、およびインダクタＬ２０と電極間容量ＣｐとのＬＣ共振の周期（以下、「共振周期」と記す）は、インダクタＬ１０、インダクタＬ２０のインダクタンスをそれぞれＬとすれば、計算式「２π√（ＬＣｐ）」によって求めることができる。そして、本実施の形態では、電力回収回路８１、電力回収回路６１における共振周期が１６００ｎｓｅｃになるようにインダクタＬ１０、インダクタＬ２０を設定する。しかし、この数値は実施の形態における一例に過ぎず、各インダクタンスの大きさはパネル１０の特性やプラズマディスプレイ装置１の仕様等に合わせて最適な値に設定すればよい。
【００９３】
次に、パネル１０を駆動するための駆動電圧波形とその動作の概要について説明する。
【００９４】
本実施の形態におけるプラズマディスプレイ装置１は、サブフィールド法によってパネル１０を駆動する。サブフィールド法では、１フィールドを時間軸上で複数のサブフィールドに分割し、各サブフィールドに輝度重みをそれぞれ設定する。したがって、各フィールドはそれぞれ複数のサブフィールドを有する。そして、それぞれのサブフィールドは初期化期間、書込み期間および維持期間を有する。
【００９５】
初期化期間では、放電セルに初期化放電を発生し、続く書込み期間における書込み放電に必要な壁電荷を各電極上に形成する初期化動作を行う。
【００９６】
書込み期間では、走査電極２２に走査パルスを印加するとともにデータ電極３２に選択的に書込みパルスを印加し、発光するべき放電セルに選択的に書込み放電を発生する。そして、続く維持期間で維持放電を発生するための壁電荷をその放電セル内に形成する書込み動作を行う。
【００９７】
維持期間では、それぞれのサブフィールドに設定された輝度重みに所定の比例定数を乗じた数の維持パルスを走査電極２２および維持電極２３に交互に印加し、直前の書込み期間に書込み放電を発生した放電セルで維持放電を発生し、その放電セルを発光する維持動作を行う。この比例定数が輝度倍率である。
【００９８】
輝度重みとは、各サブフィールドで表示する輝度の大きさの比を表すものであり、各サブフィールドでは輝度重みに応じた数の維持パルスを維持期間に発生する。そのため、例えば、輝度重み「８」のサブフィールドは、輝度重み「１」のサブフィールドの約８倍の輝度で発光し、輝度重み「２」のサブフィールドの約４倍の輝度で発光する。
【００９９】
また、例えば、輝度倍率が２倍のとき、輝度重み「２」のサブフィールドの維持期間では、走査電極２２と維持電極２３とにそれぞれ４回ずつ維持パルスを印加する。そのため、その維持期間で発生する維持パルスの数は８となる。
【０１００】
こうして、画像信号に応じた組み合わせでサブフィールド毎に各放電セルの発光・非発光を制御して各サブフィールドを選択的に発光することにより、様々な階調を表示し、画像をパネル１０に表示することができる。
【０１０１】
また、初期化動作には、直前のサブフィールドの動作にかかわらず放電セルに初期化放電を発生する全セル初期化動作と、直前のサブフィールドの書込み期間で書込み放電を発生し維持期間で維持放電を発生した放電セルだけに選択的に初期化放電を発生する選択初期化動作とがある。全セル初期化動作では上昇する上り傾斜波形電圧および下降する下り傾斜波形電圧を走査電極２２に印加し、画像表示領域内の全ての放電セルに初期化放電を発生する。そして、複数のサブフィールドのうち、１つのサブフィールドの初期化期間においては全セル初期化動作を行い、他のサブフィールドの初期化期間においては、選択初期化動作を行う。以下、全セル初期化動作を行う初期化期間を「全セル初期化期間」と記し、全セル初期化期間を有するサブフィールドを「全セル初期化サブフィールド」と記す。また、選択初期化動作を行う初期化期間を「選択初期化期間」と記し、選択初期化期間を有するサブフィールドを「選択初期化サブフィールド」と記す。
【０１０２】
そして、本実施の形態では、各フィールドの先頭サブフィールド（フィールドの最初に発生するサブフィールド）のみを全セル初期化サブフィールドとする。すなわち、先頭サブフィールド（サブフィールドＳＦ１）の初期化期間では全セル初期化動作を行い、他のサブフィールドの初期化期間では選択初期化動作を行う。
【０１０３】
これにより、少なくとも１フィールドに１回は全ての放電セルで初期化放電を発生するので、全セル初期化動作以降の書込み動作を安定化することができる。また、画像の表示に関係のない発光はサブフィールドＳＦ１における全セル初期化動作の放電にともなう発光のみとなる。したがって、維持放電を発生しない黒を表示する領域の輝度である黒輝度は全セル初期化動作における微弱発光だけとなり、パネル１０にコントラストの高い画像を表示することが可能となる。
【０１０４】
しかし、本実施の形態は、１フィールドを構成するサブフィールドの数や各サブフィールドの輝度重みが上述した数値に限定されるものではない。また、画像信号等にもとづいてサブフィールド構成を切り換える構成であってもよい。
【０１０５】
なお、本実施の形態において、プラズマディスプレイ装置１に入力される画像信号は、２Ｄ画像信号、または３Ｄ画像信号であり、プラズマディスプレイ装置１は、それぞれの画像信号に応じてパネル１０を駆動する。まず、２Ｄ画像信号がプラズマディスプレイ装置１に入力されたときにパネル１０の各電極に印加する駆動電圧波形を説明する。次に、３Ｄ画像信号がプラズマディスプレイ装置１に入力されたときにパネル１０の各電極に印加する駆動電圧波形を説明する。
【０１０６】
図５は、本発明の実施の形態１におけるプラズマディスプレイ装置１に用いるパネル１０の各電極に印加する駆動電圧波形を概略的に示す図である。図５には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍのそれぞれに印加する駆動電圧波形を示す。また、以下における走査電極ＳＣｉ、維持電極ＳＵｉ、データ電極Ｄｋは、各電極の中から画像データ（サブフィールド毎の発光・非発光を示すデータ）にもとづき選択された電極を表す。
【０１０７】
また、図５には、サブフィールドＳＦ１とサブフィールドＳＦ２との２つのサブフィールドの駆動電圧波形を示している。サブフィールドＳＦ１は全セル初期化動作を行うサブフィールドであり、サブフィールドＳＦ２は選択初期化動作を行うサブフィールドである。したがって、サブフィールドＳＦ１とサブフィールドＳＦ２とでは、初期化期間に走査電極２２に印加する駆動電圧の波形形状が異なる。なお、他のサブフィールドにおける駆動電圧波形は、維持期間における維持パルスの発生数が異なる以外はサブフィールドＳＦ２の駆動電圧波形とほぼ同様である。
【０１０８】
なお、本実施の形態におけるプラズマディスプレイ装置１においては、２Ｄ画像信号によってパネル１０を駆動する際に、１フィールドを８のサブフィールド（サブフィールドＳＦ１、サブフィールドＳＦ２、・・・、サブフィールドＳＦ８）で構成し、サブフィールドＳＦ１〜サブフィールドＳＦ８の各サブフィールドにそれぞれ（１、２、４、８、１６、３２、６４、１２８）の輝度重みを設定する例を説明する。
【０１０９】
このように、本実施の形態では、２Ｄ画像信号によってパネル１０を駆動する際には、フィールドの最初に発生するサブフィールドＳＦ１を輝度重みの最も小さいサブフィールドとし、それ以降は輝度重みが順次大きくなるように各サブフィールドに輝度重みを設定し、フィールドの最後に発生するサブフィールドＳＦ８を輝度重みの最も大きいサブフィールドとする。
【０１１０】
なお、本実施の形態は、１フィールドを構成するサブフィールドの数や各サブフィールドの輝度重みが上記の値に限定されるものではない。
【０１１１】
まず、全セル初期化サブフィールドであるサブフィールドＳＦ１について説明する。
【０１１２】
全セル初期化動作を行うサブフィールドＳＦ１の初期化期間の前半部では、データ電極Ｄ１〜データ電極Ｄｍ、維持電極ＳＵ１〜維持電極ＳＵｎには、それぞれ電圧０（Ｖ）を印加する。走査電極ＳＣ１〜走査電極ＳＣｎには、電圧０（Ｖ）を印加した後に電圧Ｖｉ１を印加し、電圧Ｖｉ１から電圧Ｖｉ２に向かって緩やかに（例えば、１．３Ｖ／μｓｅｃの勾配で）上昇する上り傾斜波形電圧（以下、「ランプ電圧Ｌ１」と記す）を印加する。電圧Ｖｉ１は、維持電極ＳＵ１〜維持電極ＳＵｎに対して放電開始電圧よりも低い電圧に設定し、電圧Ｖｉ２は、放電開始電圧を超える電圧に設定する。
【０１１３】
このランプ電圧Ｌ１が上昇する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が持続して発生する。そして、走査電極ＳＣ１〜走査電極ＳＣｎ上に負の壁電圧が蓄積され、データ電極Ｄ１〜データ電極Ｄｍ上および維持電極ＳＵ１〜維持電極ＳＵｎ上には正の壁電圧が蓄積される。この電極上の壁電圧とは、電極を覆う誘電体層上、保護層上、蛍光体層上等に蓄積された壁電荷により生じる電圧を表す。
【０１１４】
サブフィールドＳＦ１の初期化期間の後半部では、維持電極ＳＵ１〜維持電極ＳＵｎには正の電圧Ｖｅ１を印加し、データ電極Ｄ１〜データ電極Ｄｍには電圧０（Ｖ）を印加する。走査電極ＳＣ１〜走査電極ＳＣｎには、電圧Ｖｉ３から負の電圧Ｖｉ４に向かって緩やかに（例えば、−２．５Ｖ／μｓｅｃの勾配で）下降する下り傾斜波形電圧（以下、「ランプ電圧Ｌ２」と記す）を印加する。電圧Ｖｉ３は、維持電極ＳＵ１〜維持電極ＳＵｎに対して放電開始電圧未満となる電圧に設定し、電圧Ｖｉ４は放電開始電圧を超える電圧に設定する。
【０１１５】
このランプ電圧Ｌ２を走査電極ＳＣ１〜走査電極ＳＣｎに印加する間に、各放電セルの走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間に、それぞれ微弱な初期化放電が発生する。そして、走査電極ＳＣ１〜走査電極ＳＣｎ上の負の壁電圧および維持電極ＳＵ１〜維持電極ＳＵｎ上の正の壁電圧が弱められ、データ電極Ｄ１〜データ電極Ｄｍ上の正の壁電圧は書込み動作に適した値に調整される。
【０１１６】
以上により、サブフィールドＳＦ１の初期化期間における初期化動作、すなわち、全ての放電セルで強制的に初期化放電を発生する全セル初期化動作が終了し、全ての放電セルにおいて、続く書込み動作に必要な壁電荷が各電極上に形成される。
【０１１７】
続くサブフィールドＳＦ１の書込み期間では、維持電極ＳＵ１〜維持電極ＳＵｎに電圧Ｖｅ２を印加し、走査電極ＳＣ１〜走査電極ＳＣｎのそれぞれには電圧Ｖｃ（例えば、Ｖｃ＝Ｖａ＋Ｖｓｃｎ）を印加する。
【０１１８】
次に、最初に書込み動作を行う１行目の走査電極ＳＣ１に負の電圧Ｖａの負極性の走査パルスを印加する。そして、データ電極Ｄ１〜データ電極Ｄｍのうちの１行目において発光するべき放電セルのデータ電極Ｄｋに正の電圧Ｖｄの正極性の書込みパルスを印加する。
【０１１９】
電圧Ｖｄの書込みパルスを印加した放電セルのデータ電極Ｄｋと走査電極ＳＣ１との交差部の電圧差は、外部印加電圧の差（電圧Ｖｄ−電圧Ｖａ）にデータ電極Ｄｋ上の壁電圧と走査電極ＳＣ１上の壁電圧との差が加算されたものとなる。これによりデータ電極Ｄｋと走査電極ＳＣ１との電圧差が放電開始電圧を超え、データ電極Ｄｋと走査電極ＳＣ１との間に放電が発生する。
【０１２０】
また、維持電極ＳＵ１〜維持電極ＳＵｎに電圧Ｖｅ２を印加しているため、維持電極ＳＵ１と走査電極ＳＣ１との電圧差は、外部印加電圧の差である（電圧Ｖｅ２−電圧Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。
【０１２１】
これにより、データ電極Ｄｋと走査電極ＳＣ１との間に発生する放電を引き金にして、データ電極Ｄｋと交差する領域にある維持電極ＳＵ１と走査電極ＳＣ１との間に放電が発生する。こうして、走査パルスと書込みパルスとが同時に印加された放電セル（発光するべき放電セル）に書込み放電が発生し、走査電極ＳＣ１上に正の壁電圧が蓄積され、維持電極ＳＵ１上に負の壁電圧が蓄積され、データ電極Ｄｋ上にも負の壁電圧が蓄積される。
【０１２２】
このようにして、１行目の放電セルにおける書込み動作が終了する。なお、書込みパルスを印加しなかったデータ電極３２と走査電極ＳＣ１との交差部の電圧は放電開始電圧を超えないので、書込み放電は発生しない。
【０１２３】
次に、２行目の走査電極ＳＣ２に走査パルスを印加するとともに、２行目に発光するべき放電セルに対応するデータ電極Ｄｋに書込みパルスを印加し、２行目の放電セルにおける書込み動作を行う。
【０１２４】
以上の書込み動作を、走査電極ＳＣ３、走査電極ＳＣ４、・・・、走査電極ＳＣｎという順番で、ｎ行目の放電セルに至るまで順次行い、サブフィールドＳＦ１の書込み期間が終了する。このようにして、書込み期間では、発光するべき放電セルに選択的に書込み放電を発生し、その放電セルに壁電荷を形成する。
【０１２５】
続くサブフィールドＳＦ１の維持期間では、まず維持電極ＳＵ１〜維持電極ＳＵｎにベース電位となる電圧０（Ｖ）を印加するとともに走査電極ＳＣ１〜走査電極ＳＣｎに正の電圧Ｖｓの維持パルスを印加する。
【０１２６】
この維持パルスの印加により、書込み放電を発生した放電セルでは、走査電極ＳＣｉと維持電極ＳＵｉとの電圧差が、維持パルスの電圧Ｖｓに走査電極ＳＣｉ上の壁電圧と維持電極ＳＵｉ上の壁電圧との差が加算されたものとなる。
【０１２７】
これにより、走査電極ＳＣｉと維持電極ＳＵｉとの電圧差が放電開始電圧を超え、走査電極ＳＣｉと維持電極ＳＵｉとの間に維持放電が発生する。そして、この放電により発生した紫外線により蛍光体層３５が発光する。また、この放電により、走査電極ＳＣｉ上に負の壁電圧が蓄積され、維持電極ＳＵｉ上に正の壁電圧が蓄積される。さらに、データ電極Ｄｋ上にも正の壁電圧が蓄積される。ただし、書込み期間において書込み放電が発生しなかった放電セルでは維持放電は発生しない。
【０１２８】
続いて、走査電極ＳＣ１〜走査電極ＳＣｎには電圧０（Ｖ）を印加し、維持電極ＳＵ１〜維持電極ＳＵｎには電圧Ｖｓの維持パルスを印加する。直前に維持放電を発生した放電セルでは、維持電極ＳＵｉと走査電極ＳＣｉとの電圧差が放電開始電圧を超える。これにより、その直前に維持放電を発生した放電セルでは、再び維持電極ＳＵｉと走査電極ＳＣｉとの間に維持放電が発生し、維持電極ＳＵｉ上に負の壁電圧が蓄積され、走査電極ＳＣｉ上に正の壁電圧が蓄積される。
【０１２９】
以降同様に、走査電極ＳＣ１〜走査電極ＳＣｎと維持電極ＳＵ１〜維持電極ＳＵｎとに、輝度重みに所定の輝度倍率を乗じた数の維持パルスを交互に印加する。こうして表示電極対２４の電極間に電位差を与えることにより、書込み期間において書込み放電を発生した放電セルで維持放電が継続して発生し、書込み期間において書込み放電を発生した放電セルが、輝度重みに応じた輝度で発光する。
【０１３０】
そして、維持期間における維持パルスの発生後（維持期間の最後）に、維持電極ＳＵ１〜維持電極ＳＵｎおよびデータ電極Ｄ１〜データ電極Ｄｍには電圧０（Ｖ）を印加したまま、ベース電位である電圧０（Ｖ）から電圧Ｖｅｒｓに向かって緩やかに（例えば、約１０Ｖ／μｓｅｃの勾配で）上昇する傾斜波形電圧（以下、「消去ランプ電圧Ｌ３」と記す）を走査電極ＳＣ１〜走査電極ＳＣｎに印加する。
【０１３１】
走査電極ＳＣ１〜走査電極ＳＣｎへ印加する消去ランプ電圧Ｌ３が放電開始電圧を超えて上昇する間に、維持放電を発生した放電セルに微弱な放電が持続して発生する。この微弱な放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電圧を残したまま、走査電極ＳＣｉおよび維持電極ＳＵｉ上の壁電圧が弱められる。すなわち、放電セル内における不要な壁電荷が消去される。
【０１３２】
走査電極ＳＣ１〜走査電極ＳＣｎに印加する電圧が電圧Ｖｅｒｓに到達したら、走査電極ＳＣ１〜走査電極ＳＣｎへの印加電圧を電圧０（Ｖ）まで下降する。こうして、サブフィールドＳＦ１の維持期間における維持動作が終了する。
【０１３３】
以上により、サブフィールドＳＦ１が終了する。
【０１３４】
選択初期化動作を行うサブフィールドＳＦ２の初期化期間では、サブフィールドＳＦ１における初期化期間の前半部を省略した駆動電圧波形を各電極に印加する選択初期化動作を行う。
【０１３５】
サブフィールドＳＦ２の初期化期間では、維持電極ＳＵ１〜維持電極ＳＵｎには電圧Ｖｅ１を印加し、データ電極Ｄ１〜データ電極Ｄｍには電圧０（Ｖ）を印加する。走査電極ＳＣ１〜走査電極ＳＣｎには放電開始電圧未満となる電圧（例えば、電圧０（Ｖ））から負の電圧Ｖｉ４に向かってランプ電圧Ｌ２と同じ勾配（例えば、約−２．５Ｖ／μｓｅｃ）で下降する傾斜波形電圧（以下、「ランプ電圧Ｌ４」と記す）を印加する。電圧Ｖｉ４は、維持電極ＳＵ１〜維持電極ＳＵｎに対して放電開始電圧を超える電圧に設定する。
【０１３６】
このランプ電圧Ｌ４を走査電極ＳＣ１〜走査電極ＳＣｎに印加する間に、直前のサブフィールド（図５では、サブフィールドＳＦ１）の維持期間に維持放電を発生した放電セルでは微弱な初期化放電が発生する。そして、この初期化放電により、走査電極ＳＣｉ上および維持電極ＳＵｉ上の壁電圧が弱められる。また、データ電極Ｄｋ上には、直前のサブフィールドの維持期間に発生した維持放電によって十分な正の壁電圧が蓄積されているので、この壁電圧の過剰な部分が放電され、データ電極Ｄｋ上の壁電圧は書込み動作に適した壁電圧に調整される。
【０１３７】
一方、直前のサブフィールド（サブフィールドＳＦ１）の維持期間に維持放電を発生しなかった放電セルでは、初期化放電は発生せず、それ以前の壁電圧が保たれる。
【０１３８】
このように、サブフィールドＳＦ２における初期化動作は、直前のサブフィールドの書込み期間で書込み動作を行った放電セル、すなわち、直前のサブフィールドの維持期間に維持放電を発生した放電セルで選択的に初期化放電を発生する選択初期化動作となる。
【０１３９】
以上により、サブフィールドＳＦ２の初期化期間における初期化動作、すなわち、選択初期化動作が終了する。
【０１４０】
サブフィールドＳＦ２の書込み期間では、サブフィールドＳＦ１の書込み期間と同様の駆動電圧波形を各電極に印加し、発光するべき放電セルの各電極上に壁電圧を蓄積する書込み動作を行う。
【０１４１】
続く維持期間も、サブフィールドＳＦ１の維持期間と同様に、輝度重みに応じた数の維持パルスを走査電極ＳＣ１〜走査電極ＳＣｎと維持電極ＳＵ１〜維持電極ＳＵｎとに交互に印加し、書込み期間において書込み放電を発生した放電セルに維持放電を発生する。
【０１４２】
サブフィールドＳＦ３以降の各サブフィールドの初期化期間および書込み期間では、各電極に対してサブフィールドＳＦ２の初期化期間および書込み期間と同様の駆動電圧波形を印加する。また、サブフィールドＳＦ３以降の各サブフィールドの維持期間では、維持期間に発生する維持パルスの数を除き、サブフィールドＳＦ２と同様の駆動電圧波形を各電極に印加する。
【０１４３】
以上が、本実施の形態においてパネル１０の各電極に印加する駆動電圧波形の概要である。
【０１４４】
なお、本実施の形態において各電極に印加する電圧値は、例えば、電圧Ｖｉ１＝１４５（Ｖ）、電圧Ｖｉ２＝３３５（Ｖ）、電圧Ｖｉ３＝１９０（Ｖ）、電圧Ｖｉ４＝−１６０（Ｖ）、電圧Ｖａ＝−１８０（Ｖ）、電圧Ｖｓ＝１９０（Ｖ）、電圧Ｖｅｒｓ＝１９０（Ｖ）、電圧Ｖｅ１＝１２５（Ｖ）、電圧Ｖｅ２＝１３０（Ｖ）、電圧Ｖｄ＝６０（Ｖ）に設定している。また、電圧Ｖｃは、負の電圧Ｖａ＝−１８０（Ｖ）に正の電圧Ｖｓｃｎ＝１４５（Ｖ）を重畳する（Ｖｃ＝Ｖａ＋Ｖｓｃｎ）ことで発生することができ、その場合、電圧Ｖｃ＝−３５（Ｖ）となる。
【０１４５】
なお、上述した電圧値や傾斜波形電圧における勾配等の具体的な数値は単なる一例に過ぎず、本発明は、各電圧値や勾配が上述した数値に限定されるものではない。各電圧値や勾配等は、パネルの放電特性やプラズマディスプレイ装置の仕様等にもとづき最適に設定することが望ましい。
【０１４６】
次に、３Ｄ画像信号がプラズマディスプレイ装置１に入力されたときにパネル１０の各電極に印加する駆動電圧波形を、シャッタ眼鏡５０におけるシャッタの開閉動作を交えて説明する。
【０１４７】
図６は、本発明の実施の形態１におけるプラズマディスプレイ装置１に用いるパネル１０の各電極に印加する駆動電圧波形およびシャッタ眼鏡５０の開閉動作を概略的に示す波形図である。
【０１４８】
図６には、書込み期間において最初に書込み動作を行う走査電極ＳＣ１、書込み期間において最後に書込み動作を行う走査電極ＳＣｎ（例えば、走査電極ＳＣ１０８０）、維持電極ＳＵ１〜維持電極ＳＵｎ、およびデータ電極Ｄ１〜データ電極Ｄｍのそれぞれに印加する駆動電圧波形を示す。また、図６には、右目用シャッタ５２Ｒおよび左目用シャッタ５２Ｌの開閉動作を示す。
【０１４９】
３Ｄ画像信号は、右目用画像信号と左目用画像信号とをフィールド毎に交互に繰り返す立体視用の画像信号である。そして、プラズマディスプレイ装置１は、３Ｄ画像信号が入力されたときには、図６に示すように、右目用画像信号を表示する右目用フィールドと、左目用画像信号を表示する左目用フィールドとを交互に繰り返して右目用画像と左目用画像とを交互にパネル１０に表示する。
【０１５０】
例えば、図６に示す３つのフィールド（フィールドＦ１〜フィールドＦ３）のうち、フィールドＦ１、フィールドＦ３は右目用フィールドであり、右目用画像信号をパネル１０に表示する。フィールドＦ２は左目用フィールドであり、左目用画像信号をパネル１０に表示する。こうして、プラズマディスプレイ装置１は、右目用画像および左目用画像からなる立体視用の３Ｄ画像をパネル１０に表示する。
【０１５１】
１枚の３Ｄ画像は、１枚の右目用画像と１枚の左目用画像とで構成される。したがって、シャッタ眼鏡５０を通してパネル１０に表示される３Ｄ画像を観賞する使用者には、２フィールドで表示される画像（右目用画像および左目用画像）が１枚の３Ｄ画像として認識される。そのため、３Ｄ画像を表示する際は、単位時間（例えば、１秒間）にパネルに表示される画像の半分が右目用画像となり、残りの半分が左目用画像となる。したがって、使用者には、単位時間（例えば、１秒間）にパネル１０に表示される３Ｄ画像の枚数は、フィールド周波数（１秒間に発生するフィールドの数）の半分の数として観測される。
【０１５２】
例えば、パネルに表示される３Ｄ画像のフィールド周波数（１秒間に発生するフィールドの数）が６０Ｈｚであれば、１秒間にパネル１０に表示される右目用画像および左目用画像はそれぞれ３０枚ずつとなるため、使用者には、１秒間に３０枚の３Ｄ画像が観測されることになる。
【０１５３】
単位時間にパネルに表示される画像の数が少なくなると、フリッカと呼ばれる画像のちらつきが見えやすくなる。
【０１５４】
フィールド周波数が６０Ｈｚの２Ｄ画像信号であれば、１秒間に６０枚の画像がパネル１０に表示される。この場合、フリッカはあまり問題にはならない。したがって、この２Ｄ画像と同様に、例えば、１秒間に６０枚の３Ｄ画像をパネル１０に表示するためには、３Ｄ画像信号のフィールド周波数を６０Ｈｚの２倍の１２０Ｈｚに設定しなければならない。そこで、本実施の形態では、使用者に３Ｄ画像の動画像が滑らかに観測されるように、フィールド周波数を通常の２倍（例えば、１２０Ｈｚ）に設定し、フィールド周波数が低い画像を表示する際に発生しやすい画像のちらつき（フリッカ）を低減している。
【０１５５】
そして、使用者は、パネル１０に表示される３Ｄ画像を、右目用フィールドおよび左目用フィールドに同期して右目用シャッタ５２Ｒおよび左目用シャッタ５２Ｌをそれぞれ独立に開閉するシャッタ眼鏡５０を通して観賞する。これにより、使用者は、右目用画像を右目だけで観測し、左目用画像を左目だけで観測することができるので、パネル１０に表示される３Ｄ画像を立体視することができる。
【０１５６】
なお、右目用フィールドと左目用フィールドとは、表示する画像信号が異なるだけであり、１つのフィールドを構成するサブフィールドの数、各サブフィールドの輝度重み、サブフィールドの配列等、フィールドの構成は互いに同じである。そこで、以下、「右目用」と「左目用」との区別が必要ない場合には、右目用フィールドおよび左目用フィールドを単に「フィールド」と略記する。また、右目用画像信号および左目用画像信号を単に「画像信号」と略記する。また、フィールドの構成のことを「サブフィールド構成」とも記す。
【０１５７】
上述したように、本実施の形態におけるプラズマディスプレイ装置１は、３Ｄ画像信号によってパネル１０を駆動する際に、フリッカ（表示画像がちらついて見える現象のこと）を低減するために、フィールド周波数を、２Ｄ画像信号をパネル１０に表示するときの２倍（例えば、１２０Ｈｚ）にしている。そのため、３Ｄ画像信号をパネル１０に表示する際の１フィールドの期間（例えば、８．３ｍｓｅｃ）は、２Ｄ画像信号をパネル１０に表示する際の１フィールドの期間（例えば、１６．７ｍｓｅｃ）の半分となる。
【０１５８】
そこで、本実施の形態におけるプラズマディスプレイ装置１は、３Ｄ画像信号によってパネル１０を駆動する際には、２Ｄ画像信号によってパネル１０を駆動する際よりも、１フィールドを構成するサブフィールドの数を少なくする。本実施の形態では、右目用フィールドおよび左目用フィールドをそれぞれ６つのサブフィールド（サブフィールドＳＦ１、サブフィールドＳＦ２、サブフィールドＳＦ３、サブフィールドＳＦ４、サブフィールドＳＦ５、サブフィールドＳＦ６）で構成する例を説明する。各サブフィールドは、２Ｄ画像信号によってパネル１０を駆動するときと同様に、初期化期間、書込み期間、維持期間を有する。そして、サブフィールドＳＦ１の初期化期間では全セル初期化動作を行い、他のサブフィールドの初期化期間では選択初期化動作を行う。
【０１５９】
また、サブフィールドＳＦ１〜サブフィールドＳＦ６の各サブフィールドはそれぞれ（１、１７、８、４、２、１）の輝度重みを有する。このように、本実施の形態では、フィールドの最初に発生するサブフィールドＳＦ１を輝度重みの最も小さいサブフィールドとし、２番目に発生するサブフィールドＳＦ２を輝度重みの最も大きいサブフィールドとし、それ以降は輝度重みが順次小さくなるように各サブフィールドに輝度重みを設定する。
【０１６０】
本実施の形態では、各フィールドをこのようなサブフィールド構成にすることにより、右目用画像から左目用画像への発光の漏れ込み、および左目用画像から右目用画像への発光の漏れ込み（クロストーク）を低減するとともに、書込み動作を安定化している。この詳細については後述する。
【０１６１】
なお、各サブフィールドにおいて各電極に印加する駆動電圧波形は、維持期間に発生する維持パルス数が異なる以外は２Ｄ画像信号をパネル１０に表示するときと同様であるので、説明を省略する。
【０１６２】
このように、本実施の形態では、３Ｄ画像信号をパネル１０に表示する際に、１フィールドを構成する各サブフィールドを、サブフィールドＳＦ１を除き、サブフィールドの発生順に輝度重みを順次小さくし、各サブフィールドの輝度重みを、時間的に後に発生するサブフィールドほど小さくしている。これは、次のような理由による。
【０１６３】
パネル１０で用いられている蛍光体層３５は、その蛍光体を形成する材料に依存した残光特性を有する。この残光とは、放電終了後も蛍光体が発光を持続する現象のことである。そして、残光の強さは、蛍光体の発光時の輝度に比例し、蛍光体が発光したときの輝度が高いほど、残光も強くなる。また、残光は、蛍光体の特性に応じた時定数で減衰し、時間の経過とともに徐々に輝度が低下するが、維持放電を終了した後も数ｍｓｅｃの間は残光が持続するという特性を有する蛍光体材料も存在する。また、蛍光体が発光したときの輝度が高いほど、残光が十分に減衰するまでに要する時間も長くなる。
【０１６４】
輝度重みが大きいサブフィールドで生じる発光は輝度重みが小さいサブフィールドで生じる発光よりも輝度が高い。したがって、輝度重みが大きいサブフィールドで生じた発光による残光は、輝度重みが小さいサブフィールドで生じた発光による残光よりも、輝度が高くなり、減衰に要する時間も長くなる。
【０１６５】
そのため、１フィールドの最終サブフィールドを輝度重みの大きいサブフィールドにすると、最終サブフィールドを輝度重みの小さいサブフィールドにするときと比較して、続くフィールドに漏れ込む残光が増加する。
【０１６６】
右目用フィールドと左目用フィールドとを交互に発生してパネル１０に３Ｄ画像を表示するプラズマディスプレイ装置１においては、１つのフィールドで発生した残光が続くフィールドに漏れ込むと、その残光は、画像信号とは関係のない不要な発光として使用者に観測されることとなる。この現象が「クロストーク」である。
【０１６７】
したがって、１つのフィールドから次のフィールドに漏れ込む残光が増加するほど、クロストークは悪化し、３Ｄ画像の立体視は阻害され、プラズマディスプレイ装置１における画像表示品質は劣化する。なお、この画像表示品質とは、シャッタ眼鏡５０を通して３Ｄ画像を観賞する使用者にとっての画像表示品質のことである。
【０１６８】
１つのフィールドから次のフィールドに漏れ込む残光を弱め、クロストークを低減するためには、輝度重みの大きいサブフィールドを１フィールドの早い時期に発生して強い残光をできるだけ自フィールド内で収束させることが望ましい。そして、１フィールドの最終サブフィールドを輝度重みの小さいサブフィールドにして次フィールドへの残光の漏れ込みをできるだけ低減することが望ましい。
【０１６９】
すなわち、３Ｄ画像信号をパネル１０に表示する際のクロストークを抑制するためには、フィールドの初期に輝度重みが比較的大きいサブフィールドを発生し、以降、サブフィールドの発生順に輝度重みを小さくし、フィールドの最後のサブフィールドを輝度重みの比較的小さいサブフィールドにして、次フィールドへの残光の漏れ込みをできるだけ低減することが望ましい。
【０１７０】
これが、１フィールドを構成する複数のサブフィールドにおいて、サブフィールドＳＦ１を除く各サブフィールドの輝度重みを、時間的に後に発生するサブフィールドほど小さくなるように設定した理由である。なお、本実施の形態は、１フィールドを構成するサブフィールドの数や各サブフィールドの輝度重みが上記の値に限定されるものではない。例えば、サブフィールドＳＦ１を最も輝度重みの小さいサブフィールドとするとともにサブフィールドＳＦ２を最も輝度重みの大きいサブフィールドとし、サブフィールドＳＦ３以降、順次輝度重みを小さくし、フィールドの最後のサブフィールドを輝度重みが２番目に小さいサブフィールドにする構成であってもよい。
【０１７１】
一方、本実施の形態においては、黒輝度を低減するとともに書込み放電を安定化するために、サブフィールドＳＦ１を全セル初期化サブフィールドとし、他のサブフィールドを選択初期化サブフィールドとしている。したがって、サブフィールドＳＦ１の初期化期間では、全ての放電セルにおいて、初期化放電を発生し、書込み動作に必要な壁電荷およびプライミング粒子を発生することができる。
【０１７２】
しかしながら、サブフィールドＳＦ１の初期化期間において全セル初期化動作によって発生した壁電荷およびプライミング粒子は、時間の経過とともに徐々に失われていく。そして、壁電荷およびプライミング粒子が不足すると、書込み動作が不安定になる。
【０１７３】
例えば、サブフィールドＳＦ１の全セル初期化動作で初期化放電が発生した後、途中のサブフィールドでは書込み動作が行われず、最終サブフィールドでのみ書込み動作が行われるような放電セルでは、時間の経過とともに壁電荷およびプライミング粒子が徐々に失われ、最終サブフィールドにおける書込み動作が不安定になるおそれがある。
【０１７４】
しかし、壁電荷およびプライミング粒子は維持放電の発生により補充される。例えば、サブフィールドＳＦ１の維持期間で維持放電が発生した放電セルでは、その維持放電により壁電荷およびプライミング粒子が補充される。
【０１７５】
また、一般的に視聴される動画においては、輝度重みが比較的小さいサブフィールドの方が、輝度重みが比較的大きいサブフィールドよりも維持放電が発生する頻度が高いことが確認されている。
【０１７６】
そのため、１フィールドの期間が３Ｄ駆動時と比較して長い２Ｄ駆動時においては、維持放電の発生頻度が高い輝度重みの小さいサブフィールドを１フィールドの最初に発生し、１フィールドのうち時間的に後に発生するサブフィールドほど輝度重みを大きくしている。こうすることで、２Ｄ駆動時において、１フィールドの初期における維持放電の発生確率を高め、１フィールドの初期に維持放電によって壁電荷およびプライミング粒子が補充される放電セルの数を増加させて、１フィールドの最終サブフィールドにおける書込み動作を安定に行なえるようにしている。
【０１７７】
一方、３Ｄ駆動時においては、上述したように、クロストークの低減のために、各サブフィールドの輝度重みを、１フィールドのうち時間的に後に発生するサブフィールドほど小さくなるように設定することが望ましい。しかしながら、輝度重みが最も大きいサブフィールドを先頭サブフィールドにすると、フィールドの最初のサブフィールドにおいて維持放電によって壁電荷およびプライミング粒子が補充される放電セルの数が減少する。また、輝度重みが大きいサブフィールドは、維持期間の長さも長くなるため、輝度重みが大きいサブフィールドをフィールドの初期に発生すると、後続のサブフィールドでは全セル初期化動作から書込み動作までの時間が長くなる。そのため、後続のサブフィールドで書込み動作が不安定になるおそれがある。
【０１７８】
クロストークの低減と、１フィールドの最終サブフィールドにおける書込み動作の安定化とを両立するためには、各サブフィールドの輝度重みを、１フィールドのうち時間的に後に発生するサブフィールドほど小さくなるように設定して輝度重みの大きいサブフィールドを１フィールドの早い時期に発生させるとともに、フィールドの初期に維持放電を発生して壁電荷およびプライミング粒子を補充することができるサブフィールド構成にすることが望ましい。
【０１７９】
そこで、本実施の形態では、サブフィールドＳＦ１を輝度重みの最も小さいサブフィールドとする。したがって、サブフィールドＳＦ１の維持期間に維持放電が発生する確率を高めることができる。そして、サブフィールドＳＦ２を輝度重みの最も大きいサブフィールドとし、サブフィールドＳＦ３以降の各サブフィールドは輝度重みを順次小さくする構成とする。
【０１８０】
これにより、次フィールドへの残光の漏れ込みを低減してクロストークを低減するとともに、サブフィールドＳＦ１の維持期間に発生する維持放電によって壁電荷およびプライミング粒子を放電セル内に補充する放電セルの数を増加し、後続のサブフィールドにおける書込み動作の安定化を図ることが可能となる。
【０１８１】
次に、シャッタ眼鏡５０におけるシャッタの開閉動作の制御について説明する。
【０１８２】
なお、以下の説明に用いるシャッタの「透過率」とは、シャッタ眼鏡５０のシャッタがどの程度開いているのかを表すものであり、シャッタが完全に開いた状態を透過率１００％（透過率が最大）とし、シャッタが完全に閉じた状態を透過率０％（透過率が最小）として、可視光を透過する割合を百分率で表したものである。
【０１８３】
シャッタ眼鏡５０の右目用シャッタ５２Ｒおよび左目用シャッタ５２Ｌは、タイミング信号出力部４９から出力されシャッタ眼鏡５０で受信されるシャッタ開閉用タイミング信号（右目シャッタ開閉用タイミング信号および左目シャッタ開閉用タイミング信号）のオン・オフにもとづき、シャッタの開閉動作が制御される。
【０１８４】
制御信号発生回路４５は、プラズマディスプレイ装置１の駆動回路が３Ｄ駆動を行っているときは、右目用フィールドおよび左目用フィールドともに、サブフィールドＳＦ１の初期化期間（全セル初期化期間）の間は、右目シャッタ開閉用タイミング信号および左目シャッタ開閉用タイミング信号がともにオフとなるように、シャッタ開閉用タイミング信号を発生する。
【０１８５】
本実施の形態においては、サブフィールドＳＦ１の全セル初期化動作により、全ての放電セルで初期化放電による発光が発生する。この発光は、わずかではあるが黒輝度を上昇させる。そこで、本実施の形態では、３Ｄ画像をパネル１０に表示する際に、右目用フィールドおよび左目用フィールドのいずれのフィールドにおいても、サブフィールドＳＦ１の初期化期間（全セル初期化期間）の間、右目用シャッタ５２Ｒおよび左目用シャッタ５２Ｌがともに閉じた状態となるようにシャッタ眼鏡５０を制御する。
【０１８６】
これにより、全セル初期化動作によって発生する発光は、右目用シャッタ５２Ｒおよび左目用シャッタ５２Ｌによって遮られ、使用者の目に入らなくなる。したがって、シャッタ眼鏡５０を通して３Ｄ画像を観賞する使用者（以下、単に「使用者」と記す）には、全セル初期化動作による発光が見えなくなり、その発光分の輝度が低減した黒を観測することになるので、コントラストの高い画像を観賞することができる。
【０１８７】
さらに、右目用シャッタ５２Ｒおよび左目用シャッタ５２Ｌをともに閉じた状態にすることで、残光も遮られることになる。したがって、シャッタを開くタイミングをできるだけ遅くすることで、残光を遮る期間を長くし、クロストークを低減する効果を高めることができる。
【０１８８】
一方、シャッタ眼鏡５０においては、シャッタを閉じ始めてから完全に閉じるまでに、または、シャッタを開き始めてから完全に開くまでに、シャッタを構成する材料（例えば、液晶）の特性に応じた時間がかかる。例えば、液晶でシャッタを構成するシャッタ眼鏡５０の場合、シャッタを閉じ始めてから完全に閉じるまでに０．５ｍｓｅｃ程度の時間がかかり、シャッタを開き始めてから完全に開くまでに２ｍｓｅｃ程度の時間がかかることがある。
【０１８９】
したがって、サブフィールドＳＦ１の維持期間においてシャッタの透過率を１００％にするためには、シャッタの特性を考慮して早めにシャッタを開き始めなければならない。シャッタを開き始めるタイミングが遅ければ、サブフィールドＳＦ１の維持期間におけるシャッタの透過率の平均値が１００％に達しないこともある。
【０１９０】
一方、本発明者は、時定数の大きい残光特性を有する蛍光体（長残光蛍光体）を用いた放電セルに関しては、輝度重みが小さいサブフィールドであれば、維持期間におけるシャッタの透過率の平均値が１００％でなくとも、すなわち、維持期間が開始したときにシャッタが完全に開いた状態になっていなくとも、使用者に輝度の低下は実質的に知覚されないことを確認した。
【０１９１】
例えば、残光の時定数が３ｍｓｅｃ程度の長残光蛍光体を用いた放電セルでは、輝度重み「１」のサブフィールドであれば、維持期間におけるシャッタの透過率の平均値が５０％程度であっても、使用者には輝度の低下は実質的に知覚されないことが確認された。これは、長残光蛍光体を用いた放電セルでは、放電発生時にシャッタが十分に開いていなくとも、残光がある間にシャッタが開いていくため、その残光を使用者が観測することで発光輝度が維持されるためと考えられる。
【０１９２】
本実施の形態では、これらのことを考慮して、シャッタを開き始めるタイミングを設定する。
【０１９３】
次に、右目用シャッタ５２Ｒおよび左目用シャッタ５２Ｌの具体的な制御について説明する。
【０１９４】
図７は、本発明の実施の形態１におけるプラズマディスプレイ装置１に３Ｄ画像を表示する際のサブフィールド構成と右目用シャッタ５２Ｒおよび左目用シャッタ５２Ｌの開閉状態を概略的に示す図である。図７には、走査電極ＳＣ１に印加する駆動電圧波形と、シャッタ眼鏡５０の右目用シャッタ５２Ｒおよび左目用シャッタ５２Ｌの開閉状態とを示す。また、図７には２つのフィールド（右目用フィールドＦ１、左目用フィールドＦ２）を示す。
【０１９５】
なお、図７のシャッタ眼鏡５０の開閉状態を示す図では、右目用シャッタ５２Ｒおよび左目用シャッタ５２Ｌの開閉状態を透過率で表す。図７のシャッタの開閉を示す図面において、縦軸は、シャッタが完全に開いた状態の透過率（透過率が最大のとき）を１００％とし、シャッタが完全に閉じた状態の透過率（透過率が最小のとき）を０％として、シャッタの透過率を相対的に表している。また、横軸は時間を表している。
【０１９６】
本実施の形態において、制御信号発生回路４５は、プラズマディスプレイ装置１の駆動回路が３Ｄ駆動を行っているときは、右目用フィールドおよび左目用フィールドともに、サブフィールドＳＦ１の全セル初期化期間は右目シャッタ開閉用タイミング信号および左目シャッタ開閉用タイミング信号がともにオフとなるように、シャッタ開閉用タイミング信号を発生する。そして、サブフィールドＳＦ１の維持期間は、右目用シャッタ５２Ｒまたは左目用シャッタ５２Ｌの透過率の平均値が１００％未満（例えば、５０％程度）になるように、シャッタ開閉用タイミング信号を発生する。
【０１９７】
具体的には、制御信号発生回路４５は、シャッタ眼鏡５０のシャッタを閉じる際には、右目用フィールド（例えば、フィールドＦ１）の全セル初期化動作の開始直前の時刻ｔ１（時刻ｔ９も同様）において、それまで開いていた左目用シャッタ５２Ｌが完全に閉じ、右目用フィールド（例えば、フィールドＦ１）の全セル初期化期間は左目用シャッタ５２Ｌおよび右目用シャッタ５２Ｒがともに透過率が０％になるようにシャッタ開閉用タイミング信号を発生する。
【０１９８】
また、制御信号発生回路４５は、左目用フィールド（例えば、フィールドＦ２）の全セル初期化動作の開始直前の時刻ｔ５において、それまで開いていた右目用シャッタ５２Ｒが完全に閉じ、左目用フィールド（例えば、フィールドＦ２）の全セル初期化期間は左目用シャッタ５２Ｌおよび右目用シャッタ５２Ｒがともに透過率が０％になるようにシャッタ開閉用タイミング信号を発生する。
【０１９９】
シャッタ眼鏡５０のシャッタを開く際には、制御信号発生回路４５は、右目用フィールド（例えば、フィールドＦ１）のサブフィールドＳＦ１における維持期間の中間時点となる時刻ｔ２において右目用シャッタ５２Ｒの透過率が５０％程度となり、かつ、サブフィールドＳＦ２の維持期間の開始直前の時刻ｔ３において右目用シャッタ５２Ｒの透過率が９０％以上となるように、望ましくは透過率が１００％となるように、右目シャッタ開閉用タイミング信号を発生する。
【０２００】
また、制御信号発生回路４５は、左目用フィールド（例えば、フィールドＦ２）のサブフィールドＳＦ１における維持期間の中間時点となる時刻ｔ６において左目用シャッタ５２Ｌの透過率が５０％程度となり、かつ、サブフィールドＳＦ２の維持期間の開始直前の時刻ｔ７において左目用シャッタ５２Ｌの透過率が９０％以上となるように、望ましくは１００％となるように、左目シャッタ開閉用タイミング信号を発生する。
【０２０１】
以上と同様の動作を、各フィールドで繰り返す。
【０２０２】
このように、本実施の形態における制御信号発生回路４５は、右目用フィールド（例えば、フィールドＦ１）では、右目用シャッタ５２Ｒが、先頭サブフィールドであるサブフィールドＳＦ１の初期化期間が終了するまでは閉じ、サブフィールドＳＦ１の維持期間における透過率の平均値が１００％未満（例えば、５０％程度）になるようにサブフィールドＳＦ１の維持期間の開始前に開き、最終サブフィールド（例えば、サブフィールドＳＦ６）の維持期間の維持パルス発生終了後に閉じるように、右目シャッタ開閉用タイミング信号を発生する。
【０２０３】
また、制御信号発生回路４５は、左目用フィールド（例えば、フィールドＦ２）では、左目用シャッタ５２Ｌが、サブフィールドＳＦ１の初期化期間が終了するまでは閉じ、サブフィールドＳＦ１の維持期間における透過率の平均値が１００％未満（例えば、５０％程度）になるようにサブフィールドＳＦ１の維持期間の開始前に開き、最終サブフィールド（例えば、サブフィールドＳＦ６）の維持期間の維持パルス発生終了後に閉じるように、左目シャッタ開閉用タイミング信号を発生する。
【０２０４】
なお、シャッタ眼鏡５０においては、シャッタの開閉に、シャッタを構成する材料（例えば、液晶）の特性に応じた時間がかかる。そして、シャッタを構成する材料によっては、シャッタの開閉に上述よりもさらに長い時間がかかる場合がある。そこで、本実施の形態では、シャッタを閉じる際に、全セル初期化動作の開始直前において、シャッタの透過率が３０％以下となるように、望ましくは１０％以下となるように、シャッタを閉じるタイミングを設定してもよい。
【０２０５】
例えば、図７に示す例では、制御信号発生回路４５は、右目用フィールド（例えば、フィールドＦ１）の先頭サブフィールドであるサブフィールドＳＦ１における全セル初期化動作の開始直前の時刻ｔ１において、左目用シャッタ５２Ｌの透過率が３０％以下となるように、望ましくは１０％以下となるように、左目シャッタ開閉用タイミング信号を発生してもよい。
【０２０６】
また、制御信号発生回路４５は、左目用フィールド（例えば、フィールドＦ２）の先頭サブフィールドであるサブフィールドＳＦ１における全セル初期化動作の開始直前の時刻ｔ５において、右目用シャッタ５２Ｒの透過率が３０％以下となるように、望ましくは１０％以下となるように、右目シャッタ開閉用タイミング信号を発生してもよい。
【０２０７】
このとき、シャッタを閉じ始めてから完全に閉じるまでに要する時間を考慮して、最終サブフィールドの維持期間における維持パルスの発生終了から先頭サブフィールドの全セル初期化動作開始までの時間を設定することが望ましい。
【０２０８】
例えば、図７に示す例では、右目用フィールド（例えば、フィールドＦ１）の最終サブフィールドであるサブフィールドＳＦ６の維持パルス発生終了直後の時刻ｔ４に右目用シャッタ５２Ｒを閉じ始めたときに、少なくとも時刻ｔ５では右目用シャッタ５２Ｒの透過率が３０％以下になるように、望ましくは１０％以下となるように、時刻ｔ４から時刻ｔ５までの間隔を設けることが望ましい。
【０２０９】
同様に、左目用フィールド（例えば、フィールドＦ２）の最終サブフィールドであるサブフィールドＳＦ６の維持パルス発生終了直後の時刻ｔ８に左目用シャッタ５２Ｌを閉じ始めたときに、少なくとも、続く右目用フィールドのサブフィールドＳＦ１における全セル初期化動作の開始直前の時刻ｔ９で左目用シャッタ５２Ｌの透過率が３０％以下になるように、望ましくは１０％以下となるように、時刻ｔ８から時刻ｔ９までの間隔を設けることが望ましい。
【０２１０】
また、シャッタを開く際には、サブフィールドＳＦ２の維持期間の開始直前において、シャッタの透過率が７０％以上となるように、望ましくは９０％以上となるように、シャッタを開くタイミングを設定することが望ましい。
【０２１１】
例えば、図７に示す例では、右目用フィールド（例えば、フィールドＦ１）のサブフィールドＳＦ２における維持パルスの発生直前の時刻ｔ３において、右目用シャッタ５２Ｒの透過率が７０％以上となるように、望ましくは９０％以上となるように、シャッタを開くタイミングを設定することが望ましい。
【０２１２】
また、左目用フィールド（例えば、フィールドＦ２）のサブフィールドＳＦ２における維持パルスの発生直前の時刻ｔ７において、左目用シャッタ５２Ｌの透過率が７０％以上となるように、望ましくは９０％以上となるように、シャッタを開くタイミングを設定することが望ましい。
【０２１３】
このとき、シャッタを開き始めてから完全に開くまでに要する時間を考慮して、サブフィールドＳＦ１の終了からサブフィールドＳＦ２における維持期間の開始までの時間を設定することが望ましい。
【０２１４】
例えば、図７に示す例では、少なくとも、時刻ｔ３で右目用シャッタ５２Ｒの透過率が７０％以上になるように、望ましくは９０％以上となるように、時刻ｔ２から時刻ｔ３までの間隔を設ける。
【０２１５】
同様に、少なくとも、時刻ｔ７で左目用シャッタ５２Ｌの透過率が７０％以上になるように、望ましくは９０％以上となるように、時刻ｔ６から時刻ｔ７までの間隔を設ける。
【０２１６】
このように、本実施の形態では、シャッタを閉じ始めてから完全に閉じるまでに要する時間、および、シャッタを開き始めてから完全に開くまでに要する時間を考慮し、シャッタの開閉動作を制御する。
【０２１７】
なお、シャッタ開閉用タイミング信号をどのタイミングでオンからオフにし、オフからオンにするかは、シャッタ眼鏡５０の特性およびフィールドの構成に応じてあらかじめ設定しておく。そして、制御信号発生回路４５は、あらかじめ設定されたそのタイミングに応じてシャッタ開閉用タイミング信号を発生する。そして、シャッタ眼鏡５０の右目用シャッタ５２Ｒおよび左目用シャッタ５２Ｌは、タイミング信号出力部４９から出力されるシャッタ開閉用タイミング信号（右目シャッタ開閉用タイミング信号および左目シャッタ開閉用タイミング信号）のオン・オフにもとづき開閉動作が制御される。
【０２１８】
本実施の形態においては、このようにシャッタ開閉用タイミング信号を発生することで、シャッタ眼鏡５０は、右目用フィールドおよび左目用フィールドのいずれのフィールドにおいても、全セル初期化サブフィールド（サブフィールドＳＦ１）の初期化期間（全セル初期化期間）は、右目用シャッタ５２Ｒおよび左目用シャッタ５２Ｌはともに閉じた状態となる。したがって、全セル初期化動作によって発生する発光を、右目用シャッタ５２Ｒおよび左目用シャッタ５２Ｌによって遮り、使用者の目に入らないようにすることができる。これにより、シャッタ眼鏡５０を通して３Ｄ画像を観賞する使用者には、全セル初期化動作による発光が見えなくなり、その発光分の輝度を低減した黒輝度で３Ｄ画像を観賞することが可能となる。
【０２１９】
さらに、本実施の形態では、３Ｄ画像をパネル１０に表示する際には、サブフィールドＳＦ１の維持期間において、シャッタ眼鏡５０の右目用シャッタ５２Ｒまたは左目用シャッタ５２Ｌの透過率の平均値が、例えば５０％程度になるようにシャッタ開閉用タイミング信号を発生する。こうすることで、サブフィールドＳＦ１の維持期間においてシャッタの透過率の平均値が１００％になるようにシャッタ開閉用タイミング信号を発生する場合と比較して、右目用シャッタ５２Ｒおよび左目用シャッタ５２Ｌを開き始めるタイミングを遅延することができる。
【０２２０】
これにより、右目用シャッタ５２Ｒおよび左目用シャッタ５２Ｌをともに閉じて残光を遮る期間をより長くして、前フィールドからの残光をより見えにくくすることができ、シャッタ眼鏡５０を通して３Ｄ画像を観賞する使用者に対して、クロストークを低減する効果を高めることが可能となる。
【０２２１】
なお、サブフィールドＳＦ１の維持期間におけるシャッタの透過率が、例えば５０％になると、時定数の小さい残光特性を有する蛍光体（短残光蛍光体）を用いた蛍光体層を有する放電セルに関して、使用者にサブフィールドＳＦ１の輝度の低下を知覚されることがある。
【０２２２】
これは、短残光蛍光体を用いた放電セルでは、残光が少なく、使用者が観測することができる発光が放電発生時の発光に実質的に等しくなるため、放電発生時にシャッタが十分に開いていないと、使用者が観測することができる発光輝度が減少するためと考えられる。
【０２２３】
例えば、上述したように、本実施の形態においては、蛍光体層３５Ｇおよび蛍光体層３５Ｒを構成する蛍光体に、残光の時定数が約３ｍｓｅｃ程度の長残光蛍光体を用いている。一方、蛍光体層３５Ｂには、残光の時定数が約０．１ｍｓｅｃ程度の短残光蛍光体を用いている。
【０２２４】
したがって、サブフィールドＳＦ１の維持期間におけるシャッタの透過率の平均値が５０％程度になると、赤の放電セルと緑の放電セルとに関しては、使用者に輝度の低下を知覚される可能性は低いが、青の放電セルに関しては、使用者に輝度の低下を知覚されるおそれがある。
【０２２５】
そして、長残光蛍光体を用いた放電セルと短残光蛍光体を用いた放電セルとに発光輝度の差が生じると、使用者にはそれが色相の変化として知覚されるおそれがある。
【０２２６】
この問題に対しては、輝度の低下分を補うように維持パルスの発生数を調整すればよい。すなわち、短残光蛍光体を用いた放電セルにおいてのみ、サブフィールドＳＦ１の維持期間に生じる発光輝度の低下を補うように維持パルスの発生数を増やせばよい。
【０２２７】
上述した構成の場合、赤の放電セルおよび緑の放電セルでは発光させず、青の放電セルだけで発光させるようなサブフィールドを設けることで、この問題に対応することができる。例えば、本実施の形態では、サブフィールドＳＦ６を、赤の放電セルおよび緑の放電セルでは発光させず、青の放電セルだけで発光させるサブフィールドとすることも可能である。これにより、短残光蛍光体を用いた放電セルにおいてサブフィールドＳＦ１の維持期間に生じる発光輝度の低下を補い、色相の変化が発生するのを防止することができる。
【０２２８】
なお、本実施の形態では、残光の時定数が１ｍｓｅｃ以下の蛍光体を短残光蛍光体とし、残光の時定数が１ｍｓｅｃよりも長い蛍光体を長残光蛍光体とする。しかし、本発明は何らこれらの数値に限定されるものではない。
【０２２９】
なお、本実施の形態では、サブフィールドＳＦ１の維持期間におけるシャッタの透過率の平均値を５０％程度とする例を説明したが、本発明は何らこの数値に限定されるものではない。例えば、サブフィールドＳＦ１において、長残光蛍光体を用いた蛍光体層を有する放電セルにおける輝度の低下が使用者に知覚されない程度までは、シャッタを開くタイミングを遅らせてシャッタの透過率を下げることも可能である。シャッタを開くタイミングをどのように設定するのか、また、サブフィールドＳＦ１の維持期間におけるシャッタの透過率の平均値をどの程度とするのかは、蛍光体の残光特性やパネルの特性、プラズマディスプレイ装置の仕様等に応じて最適に設定することが望ましい。
【０２３０】
次に、駆動負荷の変化により生じる発光輝度の差について説明する。
【０２３１】
図８Ａ、図８Ｂは、駆動負荷の変化により生じる発光輝度の差を説明するための概略図である。図８Ａ、図８Ｂは、あるサブフィールドにおけるパネル１０の画像表示領域の発光状態を概略的に示したものであり、図面に示す黒い領域は放電セルを発光させない非点灯領域を表し、白い領域は放電セルを発光させる点灯領域を表す。図８Ａは、点灯領域をパネル１０の画像表示領域の８０％に設定したときのパネル１０の発光状態を概略的に示した図である。図８Ｂは、点灯領域をパネル１０の画像表示領域の２０％に設定したときのパネル１０の発光状態を概略的に示した図である。なお、図８Ａ、図８Ｂにおいて表示電極対２４は図２に示したパネル１０と同様に行方向（図面では、横方向）に延長して配列されているものとする。
【０２３２】
図８Ａ、図８Ｂに示すように、点灯領域の面積を変えてパネル１０を発光させると、点灯領域における発光輝度に差が生じる。これは、以下のような理由によるものと考えられる。
【０２３３】
表示電極対２４は行方向（図面では、横方向）に延長して配列されているため、図８Ａ、図８Ｂに示すように点灯領域の面積を変えてパネル１０を発光させると、表示電極対２４上に発生する点灯セルの数が変わる。そして、点灯領域が狭くなるほど表示電極対２４上に発生する点灯セルの数が少なくなる。そのため、例えば、図８Ａに示す発光状態のときの表示電極対２４よりも、図８Ｂに示す発光状態のときの表示電極対２４の方が、駆動負荷が小さくなる。
【０２３４】
したがって、図８Ａに示す発光状態のときの表示電極対２４よりも、図８Ｂに示す発光状態のときの表示電極対２４の方が、駆動電圧の電圧降下、例えば維持パルスの電圧降下が少なくなる。すなわち、図８Ａに示す点灯領域における維持放電よりも、図８Ｂに示す点灯領域における維持放電の方が、放電強度が強くなると考えられる。その結果、図８Ａに示す点灯領域よりも、図８Ｂに示す点灯領域の方が発光輝度が上昇するものと考えられる。
【０２３５】
図９Ａ、図９Ｂは、駆動負荷の変化により生じる発光輝度の差の他の例を説明するための概略図である。図９Ａ、図９Ｂは、あるサブフィールドにおけるパネル１０の画像表示領域の発光状態を概略的に示したものであり、図面に示す黒い領域は放電セルを発光させない非点灯領域を表し、白い領域は放電セルを発光させる点灯領域を表す。図９Ａは、点灯領域をパネル１０の画像表示領域の５０％に設定したときのパネル１０の発光状態を概略的に示した図である。図９Ｂは、点灯領域をパネル１０の画像表示領域の２５％に設定したときのパネル１０の発光状態を概略的に示した図である。
【０２３６】
上述したように、本実施の形態では、部分点灯率しきい値（例えば、０％）以下の部分点灯率を除いて「部分点灯率の平均値」を算出する。そして、図９Ｂでは、画像表示領域の半分の表示電極対２４は非点灯である。そして、画像表示領域の残り半分の表示電極対２４における部分点灯率は５０％である。したがって、図９Ｂにおける部分点灯率の平均値は５０％である。図９Ａでは、画像表示領域における各表示電極対２４の部分点灯率は５０％であるため、図９Ａにおける部分点灯率の平均値は５０％である。したがって、図９Ａと図９Ｂとでは、部分点灯率の平均値はともに５０％となり、互いに等しい。
【０２３７】
図８Ａ、図８Ｂでは、点灯領域における表示電極対２４の駆動負荷、すなわち部分点灯率が変化する例を示した。しかし、図９Ａ、図９Ｂに示すように、点灯領域における部分点灯率の平均値が変わらなくとも、点灯セルの総数、すなわち全セル点灯率が変化することで、点灯領域における発光輝度に変化が生じる。これは、上述したように、維持電極駆動回路４４が全ての維持電極２３に並列に接続され、全ての維持電極２３が一括して駆動されているため、全セル点灯率が変化することで維持電極駆動回路４４からの出力電圧に生じる電圧降下が変化することが主な理由と考えられる。
【０２３８】
すなわち、点灯セルにおける発光輝度の変化を精度良く推定するためには、パネル１０における全セル点灯率および部分点灯率（本実施の形態では、部分点灯率の平均値）の双方を検出することが望ましい。
【０２３９】
これらのことから、本実施の形態では、サブフィールド毎に全セル点灯率と部分点灯率の平均値とを検出するものとする。そして、その検出結果にもとづき１つの維持期間における維持パルスの発生数を変更し、それにより１つの維持期間で発生させる輝度を制御して各サブフィールドの輝度を所定の明るさに保つ構成とする。なお、１つの維持期間で発生させる輝度とは、維持放電で発生する発光を１つの維持期間で累積した輝度のことである。これにより、表示画像における階調の直線性（リニアリティ  Ｌｉｎｅａｒｉｔｙ）を維持し、画像表示品質を高めることが可能となる。
【０２４０】
なお、本実施の形態では、入力画像信号および輝度重みにもとづき設定される維持パルスの発生数を、全セル点灯率および部分点灯率の平均値にもとづく補正係数で補正し、その補正をした結果の数だけ維持パルスを発生することで維持パルスの発生数を制御する。
【０２４１】
次に、補正係数の設定方法の一例を説明する。
【０２４２】
図１０は、本発明の実施の形態１における補正係数を設定するために行う発光輝度の測定を概略的に示す図である。本実施の形態では、補正係数を設定するために、まず、図１０に示すように、パネル１０に点灯領域と非点灯領域とが２つに分かれた画像を表示し、点灯領域を徐々に拡大してそれぞれの発光輝度を測定する。
【０２４３】
例えば、点灯領域が、パネル１０の画像表示領域の行方向（図面では、横方向）および列方向（図面では、縦方向）のそれぞれにおいて１０％になるように設定された画像を表示し、点灯領域の発光輝度を測定する。これにより、全セル点灯率が１％、部分点灯率の平均値が１０％の画像の発光輝度を得ることができる。
【０２４４】
次に、点灯領域が、パネル１０の画像表示領域の行方向において１０％、列方向において２０％になるように設定された画像を表示し、点灯領域の発光輝度を測定する。これにより、全セル点灯率が２％、部分点灯率の平均値が１０％の画像の発光輝度を得ることができる。
【０２４５】
同様に、点灯領域を徐々に拡大してそれぞれの発光輝度を測定する。これらの測定を繰り返すことで、全セル点灯率、部分点灯率の平均値が互いに異なる複数の画像のそれぞれにおける発光輝度を得ることができる。
【０２４６】
そして、基準となる発光輝度を「１」として各発光輝度を正規化する。例えば、全セル点灯率および部分点灯率の平均値が１００％のときの発光輝度を基準の発光輝度とし、各発光輝度を正規化する。そして、その数値の逆数をそれぞれ計算する。本実施の形態では、それを補正係数とする。
【０２４７】
例えば、全セル点灯率および部分点灯率の平均値が１００％のときの発光輝度を「１」としたときに、全セル点灯率が５％、部分点灯率の平均値が４０％のときの発光輝度が「１．２５」であれば、「１．２５」の逆数の「０．８０」を、全セル点灯率が５％、部分点灯率の平均値が４０％のときの補正係数とする。
【０２４８】
図１１は、本発明の実施の形態１における補正係数の一例を示す図である。また、図１２は、本発明の実施の形態１における維持パルス数補正部７１の回路ブロックの一例を示す図である。なお、図１２では、維持パルス数補正部７１に関連する回路ブロックのみを示し、他の回路ブロックは省略する。
【０２４９】
図１２に示すように、本実施の形態における制御信号発生回路４５は、内部に維持パルス数補正部７１を有する。維持パルス数補正部７１は、ルックアップテーブル７２（図面には、「ＬＵＴ」と記す）と補正後維持パルス数設定部７３とを有する。
【０２５０】
ルックアップテーブル７２は、複数のデータを記憶するとともにそれらのデータを任意に読み出すことができる回路素子（例えば、半導体記憶素子）で構成され、複数の補正係数を記憶し、全セル点灯率および部分点灯率の平均値にもとづきいずれか１つの補正係数を読み出すことができる。
【０２５１】
補正後維持パルス数設定部７３は、入力画像信号および輝度重みにもとづき設定された維持パルスの発生数（以下、単に「維持パルス数」とも記す）に、ルックアップテーブル７２から読み出された補正係数を乗算し、補正後維持パルス数として出力する。
【０２５２】
そして、制御信号発生回路４５では、各サブフィールドにおいて、補正後維持パルス数設定部７３から出力される補正後維持パルス数と等しい数の維持パルスが、維持パルス発生回路６０および維持パルス発生回路８０から出力されるように、各回路ブロックを制御するための制御信号を発生する。
【０２５３】
図１１には、全セル点灯率（０％から１００％まで）を１０％毎の１０段階に区切るとともに、それぞれの全セル点灯率において部分点灯率の平均値（０％から１００％まで）を１０％毎の１０段階に区切り、それぞれの全セル点灯率および部分点灯率の平均値に対応する補正係数を示す。なお、例えば、全セル点灯率１００％のときに部分点灯率の平均値が１００％未満になることはない。そのような実質的に発生しない組み合わせに関しては図面中「−」で示している。なお、図１１は単なる一実施例を示したものに過ぎず、本発明は、全セル点灯率および部分点灯率の平均値の区切りが何ら図１１に示す区切りに限定されるものではない。また、各補正係数も何ら図１１に示す数値に限定されるものではない。
【０２５４】
図１１に示すように、本実施の形態では、上述した方法で得られた各補正係数を全セル点灯率および部分点灯率の平均値に関連付けしてマトリクス化し、それをルックアップテーブル７２に記憶する。そして、そのルックアップテーブル７２に記憶された複数の補正係数の中から、サブフィールド毎に検出した全セル点灯率および部分点灯率の平均値にもとづきいずれか１つの補正係数を読み出し、読み出した補正係数を用いてそのサブフィールドにおける維持パルスの発生数を補正する。
【０２５５】
なお、図１１に示す補正係数の例は、以下の通りである。
【０２５６】
部分点灯率の平均値が０％以上１０％未満であって、全セル点灯率が０％以上１０％未満のときの補正係数は０．７０である。
【０２５７】
部分点灯率の平均値が１０％以上２０％未満のときには、全セル点灯率が０％以上１０％未満であれば、補正係数は０．７１であり、全セル点灯率が１０％以上２０％未満であれば、補正係数は０．７２である。
【０２５８】
部分点灯率の平均値が２０％以上３０％未満のときには、全セル点灯率が０％以上１０％未満であれば、補正係数は０．７３であり、全セル点灯率が１０％以上２０％未満であれば、補正係数は０．７４であり、全セル点灯率が２０％以上３０％未満であれば、補正係数は０．７６である。
【０２５９】
部分点灯率の平均値が３０％以上４０％未満のときには、全セル点灯率が０％以上１０％未満であれば、補正係数は０．７６であり、全セル点灯率が１０％以上２０％未満であれば、補正係数は０．７７であり、全セル点灯率が２０％以上３０％未満であれば、補正係数は０．７８であり、全セル点灯率が３０％以上４０％未満であれば、補正係数は０．７９である。
【０２６０】
部分点灯率の平均値が４０％以上５０％未満のときには、全セル点灯率が０％以上２０％未満であれば、補正係数は０．８０であり、全セル点灯率が２０％以上３０％未満であれば、補正係数は０．８１であり、全セル点灯率が３０％以上４０％未満であれば、補正係数は０．８２であり、全セル点灯率が４０％以上５０％未満であれば、補正係数は０．８３である。
【０２６１】
部分点灯率の平均値が５０％以上６０％未満のときには、全セル点灯率が０％以上２０％未満であれば、補正係数は０．８４であり、全セル点灯率が２０％以上４０％未満であれば、補正係数は０．８５であり、全セル点灯率が４０％以上５０％未満であれば、補正係数は０．８６であり、全セル点灯率が５０％以上６０％未満であれば、補正係数は０．８７である。
【０２６２】
部分点灯率の平均値が６０％以上７０％未満のときには、全セル点灯率が０％以上２０％未満であれば、補正係数は０．８８であり、全セル点灯率が２０％以上４０％未満であれば、補正係数は０．８９であり、全セル点灯率が４０％以上６０％未満であれば、補正係数は０．９０であり、全セル点灯率が６０％以上７０％未満であれば、補正係数は０．９１である。
【０２６３】
部分点灯率の平均値が７０％以上８０％未満のときには、全セル点灯率が０％以上２０％未満であれば、補正係数は０．９１であり、全セル点灯率が２０％以上４０％未満であれば、補正係数は０．９２であり、全セル点灯率が４０％以上６０％未満であれば、補正係数は０．９３であり、全セル点灯率が６０％以上８０％未満であれば、補正係数は０．９４である。
【０２６４】
部分点灯率の平均値が８０％以上９０％未満のときには、全セル点灯率が０％以上１０％未満であれば、補正係数は０．９３であり、全セル点灯率が１０％以上２０％未満であれば、補正係数は０．９４であり、全セル点灯率が２０％以上４０％未満であれば、補正係数は０．９５であり、全セル点灯率が４０％以上６０％未満であれば、補正係数は０．９６であり、全セル点灯率が６０％以上８０％未満であれば、補正係数は０．９７であり、全セル点灯率が８０％以上９０％未満であれば、補正係数は０．９８である。
【０２６５】
部分点灯率の平均値が９０％以上のときには、全セル点灯率が０％以上２０％未満であれば、補正係数は０．９５であり、全セル点灯率が２０％以上４０％未満であれば、補正係数は０．９６であり、全セル点灯率が４０％以上６０％未満であれば、補正係数は０．９７であり、全セル点灯率が６０％以上８０％未満であれば、補正係数は０．９８であり、全セル点灯率が８０％以上９０％未満であれば、補正係数は０．９９であり、全セル点灯率が９０％以上であれば、補正係数は１．００である。
【０２６６】
例えば、サブフィールドＳＦ２における入力画像信号および輝度重みにもとづき設定される維持パルスの発生数が「１２８」であるとする。また、サブフィールドＳＦ２における全セル点灯率が５％、部分点灯率の平均値が４５％であるとする。その場合は、図１１に示すルックアップテーブル７２のデータから得られる補正係数は「０．８０」である。したがって、補正後維持パルス数設定部７３において「１２８」と「０．８０」とを乗算し、サブフィールドＳＦ２における維持パルスの発生数を「１０２」にする。これにより、サブフィールドＳＦ２の輝度を、維持パルスの発生数を「１２８」にしたときの８０％にする。
【０２６７】
全セル点灯率が５％、部分点灯率の平均値が４５％のときのサブフィールドＳＦ２の輝度は、サブフィールドＳＦ２の全セル点灯率が１００％のときの輝度の１／０．８０＝１．２５倍である（維持パルスの発生数がともに「１２８」であるときの比較）。したがって、サブフィールドＳＦ２における維持パルスの発生数を「１２８」から２０％削減した「１０２」にすることで、サブフィールドＳＦ２の輝度を、サブフィールドＳＦ２の維持パルスの発生数が「１２８」でかつ全セル点灯率が１００％のときの輝度と同等にすることができる。
【０２６８】
すなわち、本実施の形態では、それぞれのサブフィールドにおいて、入力画像信号および輝度重みにもとづき設定される維持パルスの発生数を、全セル点灯率および部分点灯率の平均値にもとづく補正係数によって補正することで、各サブフィールドの輝度を、放電セルの点灯状態にかかわらず、常に所定の輝度（例えば、全セル点灯率１００％であって、かつ入力画像信号および輝度重みにもとづき設定される数で維持パルスを発生するときの輝度）に等しくすることができる。
【０２６９】
なお、上述したように、本実施の形態では、サブフィールドＳＦ１の維持期間におけるシャッタの透過率の平均値が１００％未満（例えば、５０％程度）となるようにシャッタ開閉用タイミング信号を発生する。そのため、サブフィールドＳＦ１の維持期間における維持パルスの発生数が変わると、シャッタ眼鏡５０を通して３Ｄ画像を観賞する使用者に、長残光蛍光体を用いた放電セルと短残光蛍光体を用いた放電セルとに発光輝度の差が生じたように観測されるおそれがある。そして、長残光蛍光体を用いた放電セルと短残光蛍光体を用いた放電セルとで発光輝度に差が生じると、使用者にはそれが色相の変化として知覚される。
【０２７０】
そこで、本実施の形態では、そのような色相の変化を生じないように、３Ｄ画像をパネル１０に表示する際には、フィールドの先頭サブフィールド、すなわちサブフィールドＳＦ１において、全セル点灯率および部分点灯率の平均値にもとづく維持パルス発生数の補正を行わないものとする。
【０２７１】
また、フィールドの最終サブフィールド（例えば、サブフィールドＳＦ６）の維持期間における維持パルスの発生数が増加すると、最終サブフィールドの維持期間が終了するタイミングが遅くなる。そのため、直後のフィールドに漏れ込む残光が増加してクロストークが悪化するおそれがある。
【０２７２】
そこで、本実施の形態では、クロストークの悪化を防止するために、３Ｄ画像をパネル１０に表示する際には、フィールドの最終サブフィールドにおいても、全セル点灯率および部分点灯率の平均値にもとづく維持パルス発生数の補正を行わないものとする。
【０２７３】
以上説明したように、本実施の形態では、サブフィールド毎に全セル点灯率および部分点灯率の平均値を検出することで、サブフィールド毎に生じる発光輝度の変化を精度良く推定する。そして、あらかじめ設定した複数の補正係数を全セル点灯率および部分点灯率の平均値に関連付けてルックアップテーブル７２に記憶する。そして、ルックアップテーブル７２から、サブフィールド毎に検出した全セル点灯率および部分点灯率の平均値にもとづきいずれか１つの補正係数を読み出す。そして、補正後維持パルス数設定部７３において、入力画像信号および輝度重みにもとづき設定される維持パルスの発生数を、その補正係数で補正する。これにより、各サブフィールドの輝度を、常に所定の輝度（例えば、全セル点灯率１００％であって、かつ入力画像信号および輝度重みにもとづき設定される数で維持パルスを発生するときの輝度）に保つことができるので、表示画像における階調の直線性を保ち、画像表示品質を高めることが可能となる。
【０２７４】
また、３Ｄ画像をパネル１０に表示する際には、右目用フィールドおよび左目用フィールドともに、サブフィールドＳＦ１の全セル初期化期間は右目用シャッタ５２Ｒおよび左目用シャッタ５２Ｌがともに閉じた状態となるように、かつ、サブフィールドＳＦ１の維持期間におけるシャッタの透過率の平均値が１００％未満（例えば、５０％程度）となるように、シャッタ眼鏡５０を制御する。これにより、シャッタ眼鏡５０を通してパネル１０に表示される３Ｄ画像を観賞する使用者に、サブフィールドＳＦ１の全セル初期化動作によって発生する発光を観測されないようにすることができる。したがって、この初期化放電による発光分の輝度を低減した良好な黒輝度を実現し、３Ｄ画像のコントラストを高めることが可能となる。また、この構成は、サブフィールドＳＦ１の維持期間が開始されるときにシャッタが完全に開くようにシャッタ眼鏡５０を制御する構成と比較して、次フィールドに漏れ込む残光を低減し、クロストークを抑制することが可能となる。
【０２７５】
さらに、３Ｄ画像をパネル１０に表示する際には、全セル点灯率および部分点灯率の平均値にもとづく補正係数によって維持パルスの発生数を補正するサブフィールドを制限する。具体的には、フィールドの先頭サブフィールドおよび最終サブフィールドでは維持パルスの発生数を補正する制御を行わない。すなわち、３Ｄ画像をパネル１０に表示する際には、フィールドの先頭サブフィールドおよび最終サブフィールドを除くサブフィールドにおいて、全セル点灯率および部分点灯率の平均値にもとづく補正係数によって維持パルスの発生数を補正する。
【０２７６】
これにより、パネル１０に表示される３Ｄ画像をシャッタ眼鏡５０を通して観賞する使用者に、表示画像における階調の直線性を保つととともに色相の変化やクロストークの悪化が観測されることを防止し、品質の高い３Ｄ画像を提供することが可能となる。
【０２７７】
なお、本実施の形態においては、フィールドの先頭サブフィールドおよび最終サブフィールドは輝度重みが「１」に設定されており、他のサブフィールドよりも輝度重みが小さい。そのため、フィールドの先頭サブフィールドおよび最終サブフィールドにおいて維持パルスの発生数を補正せずとも、表示画像における階調の直線性に与える影響は小さく、実質的には問題とはならない。言い換えると、表示画像における階調の直線性に与える影響を低減するためには、フィールドの先頭サブフィールドおよび最終サブフィールドには、できるだけ小さい輝度重みを割り当てることが望ましい。例えば、最も小さい輝度重み、および２番目に小さい輝度重みをフィールドの先頭サブフィールドおよび最終サブフィールドに割り当てることが望ましい。
【０２７８】
なお、残光によるクロストークが問題にならない場合には、サブフィールドＳＦ１の維持期間におけるシャッタの透過率の平均値が１００％となるようにシャッタ開閉用タイミング信号を発生して、シャッタ眼鏡５０を制御する構成としてもかまわない。ただし、その場合には、サブフィールドＳＦ１における維持パルスの発生数を補正しても色相の変化は生じないので、全セル点灯率および部分点灯率の平均値にもとづきサブフィールドＳＦ１における維持パルスの発生数を補正する制御を行う構成としてかまわない。
【０２７９】
（実施の形態２）
パネル１０の大画面化、高精細化はパネル１０の電極間容量Ｃｐを増大させる。電極間容量Ｃｐの増大は、パネル１０を駆動する際に発光に寄与することなく無効に消費される無効電力を増加させるため、消費電力を増大させる一因となる。
【０２８０】
また、大画面化、高精細化されて駆動インピーダンスが増大したパネル１０では、駆動波形にリンギング等の波形歪が生じやすい。そのため、放電のばらつきが大きくなりやすく、輝度ムラと呼ばれる輝度のばらつきを生じやすい。
【０２８１】
このとき、例えば、維持パルスを立ち上げるために電力回収回路６１、電力回収回路８１を動作させる期間（以下、「立ち上がり期間」と呼称する）および維持パルスを立ち下げるために電力回収回路６１、電力回収回路８１を動作させる期間（以下、「立ち下がり期間」と呼称する）の少なくとも一方の長さを変更する。それとともに、維持パルスの立ち上がり期間と立ち下がり期間とを重複させる期間（以下、「重複期間」と呼称する）を表示画像に応じて変更する。こうすることで、パネル１０における消費電力を削減しつつ、維持放電を安定に発生することが可能である。
【０２８２】
そこで、本実施の形態では、「立ち上がり期間」および「立ち下がり期間」の少なくとも一方の長さが異なる複数の維持パルスを発生するとともに、発生する維持パルスの組み合わせ、および「重複期間」の長さを異ならせた複数の駆動パターン（例えば、第１駆動パターン、第２駆動パターン、第３駆動パターン、第４駆動パターン、第５駆動パターン、第６駆動パターンの６つの駆動パターン）を設定し、表示画像に応じて適応的にそれらを切り換えて維持パルスを発生する。
【０２８３】
図１３は、本発明の実施の形態２におけるプラズマディスプレイ装置２の回路ブロック図である。なお、プラズマディスプレイ装置２は、制御信号発生回路７０が駆動パターン選択部７４を有する以外は、図３に示したプラズマディスプレイ装置１と同様の構成である。
【０２８４】
駆動パターン選択部７４は、上述した複数の駆動パターンのうちのいずれか１つを、全セル点灯率検出回路４６および部分点灯率検出回路４７からの出力にもとづき選択する。そして、制御信号発生回路７０は、その選択結果にもとづく維持パルスを発生するように、維持パルス発生回路６０、維持パルス発生回路８０を制御するための制御信号を出力する。
【０２８５】
図１４は、本発明の実施の形態２における全セル点灯率および部分点灯率の平均値と駆動パターンの切り換えとの関係の一例を示す図である。図１４において、横軸は部分点灯率の平均値を表し、縦軸は全セル点灯率を表す。
【０２８６】
本実施の形態では、部分点灯率の平均値が小さく、かつ全セル点灯率が低いサブフィールドでは、第１駆動パターンで維持パルスを発生する。図１４に示す例では、例えば、部分点灯率の平均値が２０％未満で、かつ全セル点灯率が２０％未満のサブフィールドでは第１駆動パターンで維持パルスを発生する。
【０２８７】
この第１駆動パターンは、発光輝度の向上を目的とした駆動パターンである。第１駆動パターンでは、全セル点灯率が低く、かつ部分点灯率の平均値が小さいサブフィールドにおいて、すなわち、点灯領域が少なく、パネル１０の駆動負荷が低いサブフィールドにおいて、発光輝度の向上を図る。
【０２８８】
部分点灯率の平均値が大きく、かつ全セル点灯率が高いサブフィールドでは、第２駆動パターンで維持パルスを発生する。図１４に示す例では、例えば、部分点灯率の平均値が６０％以上で、かつ全セル点灯率が６０％以上のサブフィールドでは、第２駆動パターンで維持パルスを発生する。
【０２８９】
この第２駆動パターンは、発光効率改善を目的とした駆動パターンである。第２駆動パターンでは、全セル点灯率が高く、かつ部分点灯率の平均値が大きいサブフィールドにおいて、すなわち、点灯領域が全体的に広く生じ、パネル１０の駆動負荷が全体的に高いときに、発光効率を改善して消費電力の低減を図る。
【０２９０】
また、部分点灯率の平均値が大きく、かつ全セル点灯率が所定の範囲内にあるサブフィールドでは、第３駆動パターンで維持パルスを発生する。図１４に示す例では、例えば、部分点灯率の平均値が６０％以上で、かつ全セル点灯率が３５％以上かつ６０％未満のサブフィールドでは、第３駆動パターンで維持パルスを発生する。
【０２９１】
この第３駆動パターンは、発光輝度の向上と発光効率の改善とを目的とした駆動パターンである。第３駆動パターンでは、全セル点灯率がやや高くかつ部分点灯率の平均値が大きいサブフィールドにおいて、すなわち画像表示領域の一部の領域が点灯領域となり、パネル１０の駆動負荷が部分的に高いときに、発光輝度の向上を図りつつ、発光効率を改善して消費電力の低減を図る。
【０２９２】
部分点灯率の平均値が大きく、かつ全セル点灯率が低いサブフィールドでは、第４駆動パターンで維持パルスを発生する。図１４に示す例では、例えば、部分点灯率の平均値が６０％以上で、かつ全セル点灯率が３５％未満のサブフィールドでは、第４駆動パターンで維持パルスを発生する。
【０２９３】
この第４駆動パターンは、発光効率を改善する効果を高めつつ発光輝度を向上することを目的とした駆動パターンである。第４駆動パターンでは、全セル点灯率が低くかつ部分点灯率の平均値が大きいサブフィールドにおいて、すなわち画像表示領域の一部に点灯領域が集中し、パネル１０の駆動負荷が部分的に非常に高いときに、発光輝度の向上を図りつつ、発光効率を改善して消費電力の低減を図る。
【０２９４】
部分点灯率の平均値が中位で、かつ全セル点灯率も中位のサブフィールドでは、第５駆動パターンで維持パルスを発生する。図１４に示す例では、例えば、部分点灯率の平均値が３５％以上かつ６０％未満で、かつ全セル点灯率が３５％以上かつ６０％未満のサブフィールドでは、第５駆動パターンで維持パルスを発生する。
【０２９５】
この第５駆動パターンは、発光輝度を向上する効果を高めつつ発光効率を改善することを目的とした駆動パターンである。第５駆動パターンでは、全セル点灯率が中位でかつ部分点灯率の平均値も中位のサブフィールドにおいて、すなわち、画像表示領域において点灯領域がやや分散し、パネル１０における駆動負荷の高い領域が第３駆動パターンを適用するときほどは偏っておらず、かつ駆動負荷が全体的に中位のときに、発光効率を改善して消費電力の低減を図りつつ、発光輝度の向上を図る。
【０２９６】
部分点灯率の平均値が中位で、かつ全セル点灯率が低いサブフィールドでは、第６駆動パターンで維持パルスを発生する。図１４に示す例では、例えば、部分点灯率の平均値が２０％以上かつ６０％未満で、かつ全セル点灯率が３５％未満のサブフィールドでは、第６駆動パターンで維持パルスを発生する。一般的な動画像を表示する際に、最も頻繁に発生するのがこの点灯状態である。
【０２９７】
この第６駆動パターンは、発光効率の改善効果を最も高めることを目的とした駆動パターンである。第６駆動パターンでは、全セル点灯率が低くかつ部分点灯率の平均値が中位のサブフィールドにおいて、すなわち、画像表示領域において点灯領域が分散し、パネル１０における駆動負荷の高い領域が第４駆動パターンを適用するときほどは偏っておらず、かつ駆動負荷が全体的に低いときに、発光効率を改善する効果を高めて消費電力の低減を図る。
【０２９８】
次に、各駆動パターンの詳細について図１５から図２０を用いて説明する。
【０２９９】
図１５は、本発明の実施の形態２における第１駆動パターンで発生する維持パルスの概略波形図である。図１６は、本発明の実施の形態２における第２駆動パターンで発生する維持パルスの概略波形図である。図１７は、本発明の実施の形態２における第３駆動パターンで発生する維持パルスの概略波形図である。図１８は、本発明の実施の形態２における第４駆動パターンで発生する維持パルスの概略波形図である。図１９は、本発明の実施の形態２における第５駆動パターンで発生する維持パルスの概略波形図である。図２０は、本発明の実施の形態２における第６駆動パターンで発生する維持パルスの概略波形図である。
【０３００】
なお、図１５〜図２０の各図面において、図面内の上に示した図は維持パルスの波形形状を概略的に示した図であり、図面内の下には「立ち上がり期間」、「立ち下がり期間」、「重複期間」のそれぞれの具体的な数値を示している。また、「重複期間」がマイナスの数値となっている箇所は、走査電極２２および維持電極２３をともに０（Ｖ）にする期間であることを表す。また、図１５〜図２０の各図面に示す維持パルスにおいては、走査電極２２に１つの維持パルスを印加し始めてから維持電極２３に１つの維持パルスを印加し終えるまでの期間が、約５．４μｓｅｃに設定され、電力回収回路６１、電力回収回路８１の共振周期は１６００ｎｓｅｃに設定されているものとする。
【０３０１】
第１駆動パターンでは、図１５に示すように、１つ目の維持パルス（図面のＡ）、２つ目の維持パルス（図面のＢ）は、「立ち上がり期間」を５５０ｎｓｅｃに設定し、「立ち下がり期間」を８００ｎｓｅｃに設定する。３つ目の維持パルス（図面のＣ）は、「立ち上がり期間」を５５０ｎｓｅｃ、「立ち下がり期間」を４００ｎｓｅｃに設定する。４つ目の維持パルス（図面のＤ）は、「立ち上がり期間」を７００ｎｓｅｃ、「立ち下がり期間」を４００ｎｓｅｃに設定する。５つ目の維持パルス（図面のＥ）は、「立ち上がり期間」を７００ｎｓｅｃ、「立ち下がり期間」を１０００ｎｓｅｃに設定する。
【０３０２】
なお、第１駆動パターンでは、図１５に示す６つ目の維持パルス（図面のＦ）は１つ目の維持パルス（図面のＡ）に等しく、７つ目の維持パルス（図面のＧ）は２つ目の維持パルス（図面のＢ）に等しく、８つ目の維持パルス（図面のＨ）は３つ目の維持パルス（図面のＣ）に等しい。
【０３０３】
そして、「重複期間」は、１１００ｎｓｅｃまたは０ｎｓｅｃに設定する。具体的には、図１５に示すように、立ち下がりが急峻な３つ目の維持パルス（図面のＣ）の立ち下がり期間と４つ目の維持パルス（図面のＤ）の立ち上がり期間、および立ち下がりが急峻な４つ目の維持パルス（図面のＤ）の立ち下がり期間と５つ目の維持パルス（図面のＥ）の立ち上がり期間との「重複期間」を１１００ｎｓｅｃに設定する。そして、それ以外の「重複期間」は０ｎｓｅｃに設定する。第１駆動パターンでは、「重複期間」が１１００ｎｓｅｃとなる箇所が５回に２回程度の割合で発生するように、立ち下がりが急峻な維持パルスを発生する。第１駆動パターンでは、図１５のＡからＥに示す５つの維持パルスで構成されるパターンを繰り返して各維持パルスを発生する。
【０３０４】
第２駆動パターンでは、図１６に示すように、１つ目の維持パルス（図面のＡ）、３つ目の維持パルス（図面のＣ）、７つ目の維持パルス（図面のＧ）は、「立ち上がり期間」を６５０ｎｓｅｃ、「立ち下がり期間」を１０００ｎｓｅｃに設定する。２つ目の維持パルス（図面のＢ）、５つ目の維持パルス（図面のＥ）、８つ目の維持パルス（図面のＨ）は、「立ち上がり期間」を４５０ｎｓｅｃ、「立ち下がり期間」を８００ｎｓｅｃに設定する。４つ目の維持パルス（図面のＤ）、６つ目の維持パルス（図面のＦ）は「立ち上がり期間」を６００ｎｓｅｃ、「立ち下がり期間」を１０００ｎｓｅｃに設定する。
【０３０５】
そして、「重複期間」は、図１６に示すように、５０ｎｓｅｃまたは１００ｎｓｅｃに設定する。第２駆動パターンでは、図１６のＡからＨに示す８つの維持パルスで構成されるパターンを繰り返して各維持パルスを発生する。
【０３０６】
第３駆動パターンでは、図１７に示すように、１つ目の維持パルス（図面のＡ）、３つ目の維持パルス（図面のＣ）、７つ目の維持パルス（図面のＧ）は、「立ち上がり期間」を７００ｎｓｅｃ、「立ち下がり期間」を８５０ｎｓｅｃに設定する。２つ目の維持パルス（図面のＢ）、５つ目の維持パルス（図面のＥ）、８つ目の維持パルス（図面のＨ）は、「立ち上がり期間」を４５０ｎｓｅｃ、「立ち下がり期間」を８００ｎｓｅｃに設定する。４つ目の維持パルス（図面のＤ）、６つ目の維持パルス（図面のＦ）は、「立ち上がり期間」を６５０ｎｓｅｃ、「立ち下がり期間」を８５０ｎｓｅｃに設定する。
【０３０７】
そして、「重複期間」は、図１７に示すように、１００ｎｓｅｃに設定する。第３駆動パターンでは、図１７のＡからＨに示す８つの維持パルスで構成されるパターンを繰り返して各維持パルスを発生する。
【０３０８】
第４駆動パターンでは、図１８に示すように、１つ目の維持パルス（図面のＡ）、３つ目の維持パルス（図面のＣ）、４つ目の維持パルス（図面のＤ）、６つ目の維持パルス（図面のＦ）、７つ目の維持パルス（図面のＧ）は、「立ち上がり期間」を７００ｎｓｅｃ、「立ち下がり期間」を８５０ｎｓｅｃに設定する。２つ目の維持パルス（図面のＢ）、５つ目の維持パルス（図面のＥ）、８つ目の維持パルス（図面のＨ）は、「立ち上がり期間」を４５０ｎｓｅｃ、「立ち下がり期間」を８００ｎｓｅｃに設定する。
【０３０９】
そして、「重複期間」は、図１８に示すように、１００ｎｓｅｃまたは１５０ｎｓｅｃに設定する。第４駆動パターンでは、図１８のＡからＨに示す８つの維持パルスで構成されるパターンを繰り返して各維持パルスを発生する。
【０３１０】
第５駆動パターンでは、図１９に示すように、１つ目の維持パルス（図面のＡ）、３つ目の維持パルス（図面のＣ）、７つ目の維持パルス（図面のＧ）は、「立ち上がり期間」を７００ｎｓｅｃ、「立ち下がり期間」を１０００ｎｓｅｃに設定する。２つ目の維持パルス（図面のＢ）、５つ目の維持パルス（図面のＥ）、８つ目の維持パルス（図面のＨ）は、「立ち上がり期間」を４５０ｎｓｅｃ、「立ち下がり期間」を８００ｎｓｅｃに設定する。４つ目の維持パルス（図面のＤ）、６つ目の維持パルス（図面のＦ）は、「立ち上がり期間」を６５０ｎｓｅｃ、「立ち下がり期間」を１０００ｎｓｅｃに設定する。
【０３１１】
そして、「重複期間」は、図１９に示すように、５０ｎｓｅｃに設定する。第５駆動パターンでは、図１９のＡからＨに示す８つの維持パルスで構成されるパターンを繰り返して各維持パルスを発生する。
【０３１２】
第６駆動パターンでは、図２０に示すように、１つ目の維持パルス（図面のＡ）および７つ目の維持パルス（図面のＧ）は、「立ち上がり期間」を７５０ｎｓｅｃ、「立ち下がり期間」を８００ｎｓｅｃに設定する。２つ目の維持パルス（図面のＢ）および８つ目の維持パルス（図面のＨ）は、「立ち上がり期間」を７００ｎｓｅｃ、「立ち下がり期間」を８００ｎｓｅｃに設定する。３つ目の維持パルス（図面のＣ）は、「立ち上がり期間」を７５０ｎｓｅｃ、「立ち下がり期間」を４００ｎｓｅｃに設定する。４つ目の維持パルス（図面のＤ）は、「立ち上がり期間」を７００ｎｓｅｃ、「立ち下がり期間」を４００ｎｓｅｃに設定する。５つ目の維持パルス（図面のＥ）は、「立ち上がり期間」を７００ｎｓｅｃ、「立ち下がり期間」を１０００ｎｓｅｃに設定する。６つ目の維持パルス（図面のＦ）は、「立ち上がり期間」を５００ｎｓｅｃ、「立ち下がり期間」を８００ｎｓｅｃに設定する。
【０３１３】
そして、「重複期間」は、１１００ｎｓｅｃまたは−５０ｎｓｅｃに設定する。具体的には、図２０に示すように、立ち下がりが急峻な３つ目の維持パルス（図面のＣ）の立ち下がり期間と４つ目の維持パルス（図面のＤ）の立ち上がり期間、および立ち下がりが急峻な４つ目の維持パルス（図面のＤ）の立ち下がり期間と５つ目の維持パルス（図面のＥ）の立ち上がり期間との「重複期間」を１１００ｎｓｅｃに設定する。それ以外の「重複期間」は、−５０ｎｓｅｃに設定する。すなわち、走査電極２２および維持電極２３をともに０（Ｖ）とする期間を５０ｎｓｅｃとする。第６駆動パターンでは、「重複期間」が１１００ｎｓｅｃとなる箇所が８回に２回程度の割合で発生するように、立ち下がりが急峻な維持パルスを発生する。第６駆動パターンでは、図２０のＡからＨに示す８つの維持パルスで構成されるパターンを繰り返して各維持パルスを発生する。
【０３１４】
そして、全セル点灯率および部分点灯率の平均値に応じて、これらの６つの駆動パターンを切り換えて維持パルスを発生し、パネル１０を駆動する。これにより、表示画像の図柄にもよるが、一般的な動画表示において、平均して約１０〜３０Ｗの消費電力削減効果を確認することができた。合わせて、放電のばらつき低減効果による画像表示品質の向上を確認することができた。
【０３１５】
このように、適応的に駆動パターンを切り換えながら維持パルスを発生してパネル１０を駆動する構成では、消費電力を削減し、放電のばらつきを低減する効果を得ることができる。しかし、その一方で、維持パルスを発生する際に、駆動パターンの違いにもとづく維持パルスの波形形状の差がサブフィールド間に生じる。そのため、維持パルスの波形形状の違いにより生じる輝度差がサブフィールド間に発生する可能性がある。そして、その結果、発光輝度がサブフィールド間で変化して、階調の直線性が損なわれるおそれがある。
【０３１６】
そこで、本実施の形態では、実施の形態１で示した維持パルスの発生数の補正係数を算出する際に、駆動パターンの違いも含めて、発光輝度を測定する。すなわち、全セル点灯率、部分点灯率の平均値が異なる複数の画像をパネル１０に表示する際に、全セル点灯率、部分点灯率の平均値に応じて駆動パターンを切り換えながら維持パルスを発生してパネル１０を駆動し、発光輝度を測定する。
【０３１７】
これにより、本実施の形態に示すように、画像の点灯状態に応じて適応的に駆動パターンを切り換えながらパネル１０を駆動する構成であっても、駆動パターンの違いからくる発光輝度の変化も含めて補正係数を設定することができる。
【０３１８】
例えば、発光効率の改善効果を高めることを目的とした第６駆動パターンを用いて維持パルスを発生すると、消費電力の低減効果を高めることはできる。しかし、その一方で、発光輝度の低下を生じるおそれがある。その場合であっても、駆動パターンの違いからくる発光輝度の変化も含めて補正係数を設定しておけば、維持パルスの発生数を補正して（この場合は増加して）、発光輝度を回復することができる。
【０３１９】
このように、本実施の形態では、点灯状態に応じて駆動パターンを変更しながら維持パルスを発生する。これにより、パネル１０における消費電力を削減しつつ、維持放電を安定に発生することが可能である。
【０３２０】
そして、本実施の形態では、維持パルスの発生数の補正係数を算出する際に、駆動パターンの違いによって生じる発光輝度の差も含めて、発光輝度を測定する。
【０３２１】
これにより、サブフィールド間に生じる駆動負荷の差によって１回の維持放電に生じる発光輝度の差に、駆動パターンの違いによって生じる発光輝度の差も含めて、補正係数を設定することができる。したがって、点灯状態に応じて駆動パターンを変更しながら維持パルスを発生するプラズマディスプレイ装置２であっても、各サブフィールドの輝度を、常に所定の輝度（例えば、全セル点灯率１００％であって、かつ入力画像信号および輝度重みにもとづき設定される数で維持パルスを発生するときの輝度）に保つことができる。
【０３２２】
以上示したように、本実施の形態では、消費電力の削減効果や放電のばらつきを低減する効果を得るために点灯状態に応じて駆動パターンを変更して維持パルスを発生するプラズマディスプレイ装置２であっても、表示画像における階調の直線性を保ち、画像表示品質を高めることが可能となる。
【０３２３】
なお、本実施の形態に示した各駆動パターンの構成は単なる一例に過ぎず、各駆動パターンの構成は適宜最適に設定すればよい。例えば、第２駆動パターン〜第６駆動パターンでは、８つの維持パルスから構成される１つのパターンを繰り返すことで維持パルスを発生する構成を説明したが、より多くの維持パルス、あるいはより少ない維持パルスで１つのパターンを構成してもかまわない。あるいは、維持パルスの総数が１つのパターンを構成する維持パルス数未満となるサブフィールドでは、全ての維持パルスを同一の波形形状とする等、プラズマディスプレイ装置２の仕様等に応じて任意に設定してもよい。
【０３２４】
また、共振周期や維持パルスのパルス幅等も何ら上述した数値に限定されるものではなく、各設定値は、パネル１０の特性やプラズマディスプレイ装置２の仕様等に応じて最適に設定することが望ましい。
【０３２５】
なお、本発明における実施の形態では、補正係数の最大値を「１」にして各補正係数を設定する構成を説明した。これは、各サブフィールドに要する時間の総和がほぼ１フィールドに達しており、維持期間をさらに延長して維持パルス数を増やすことが困難な場合に有効な一実施例を示したものに過ぎない。例えば、輝度倍率が小さいとき等、各サブフィールドに要する時間の総和が１フィールドに対して余裕があり、維持期間を延長して維持パルス数を増やすことができる場合がある。そのような場合には、補正係数の最大値が「１」よりも大きくなるように各補正係数を設定し、補正により維持パルスの発生数が増加するサブフィールドが生じるようにプラズマディスプレイ装置１を構成してもかまわない。ただし、どのような構成であっても、補正後の各サブフィールドに要する時間の総和が１フィールドに収まるように、各補正係数を設定することが望ましい。
【０３２６】
なお、本発明における実施の形態では、最終サブフィールドの輝度重みをサブフィールドＳＦ１の輝度重みと等しい数値にする構成を説明したが、本発明は何らこの構成に限定されるものでない。
【０３２７】
なお、本発明における実施の形態では、ルックアップテーブル７２から補正計数を選択する構成を説明したが、プラズマディスプレイ装置１にルックアップテーブル７２を用いない構成としてもかまわない。例えば、ルックアップテーブル７２を用いたときと同様の結果を得られるように演算回路を構成し、その演算回路を用いて全セル点灯率および部分点灯率の平均値にもとづきあらかじめ設定された演算を行い、補正係数を算出する構成であってもかまわない。
【０３２８】
なお、本発明における実施の形態では、蛍光体層３５Ｒおよび蛍光体層３５Ｇには時定数３ｍｓｅｃ程度の長残光蛍光体を用い、蛍光体層３５Ｂには時定数０．１ｍｓｅｃ程度の短残光蛍光体用いる構成を説明したが、本発明は何らこの構成に限定されるものではない。例えば、蛍光体層３５Ｇおよび蛍光体層３５Ｂに長残光蛍光体を用い、蛍光体層３５Ｒに短残光蛍光体用いる構成であってもよい。あるいは、蛍光体層３５Ｒおよび蛍光体層３５Ｂに長残光蛍光体を用い、蛍光体層３５Ｇに短残光蛍光体用いる構成であってもよい。あるいは、蛍光体層３５Ｒ、蛍光体層３５Ｇ、蛍光体層３５Ｂのいずれか１つに長残光蛍光体を用い、残りの２つに短残光蛍光体用いる構成であってもよい。
【０３２９】
なお、本発明における実施の形態では、３Ｄ駆動時の全セル初期化動作において走査電極２２に印加する駆動電圧波形と、２Ｄ駆動時の全セル初期化動作において走査電極２２に印加する駆動電圧波形とを互いに同じ波形形状にする構成を説明したが、本発明は何らこの構成に限定されるものではない。例えば、３Ｄ駆動時の全セル初期化動作における上り傾斜電圧の勾配を、２Ｄ駆動時の全セル初期化動作における上り傾斜電圧の勾配よりも急峻にしてもよい。あるいは、３Ｄ駆動時の全セル初期化動作における下り傾斜電圧の勾配を、２Ｄ駆動時の全セル初期化動作における下り傾斜電圧の勾配よりも急峻にしてもよい。このように、傾斜電圧の勾配をより急峻にして３Ｄ駆動時の全セル初期化動作を行う構成としてもよい。
【０３３０】
なお、本発明における実施の形態では、３Ｄ駆動時における電圧Ｖｉ２と２Ｄ駆動時における電圧Ｖｉ２とを互いに等しい電圧値に設定する構成を説明したが、これらの電圧値は互いに異なる値であってもよい。
【０３３１】
なお、図５、図６、図７、図１５、図１６、図１７、図１８、図１９、図２０に示した駆動電圧波形は本発明の実施の形態における一例を示したものに過ぎず、本発明は何らこれらの駆動電圧波形に限定されるものではない。また、図３、図４、図１２、図１３に示した回路構成も本発明の実施の形態における一例を示したものに過ぎず、本発明は何らこれらの回路構成に限定されるものではない。
【０３３２】
なお、図６、図７には、サブフィールドＳＦ６の終了後からサブフィールドＳＦ１の開始前までの間に、下り傾斜波形電圧を発生して走査電極ＳＣ１〜走査電極ＳＣｎに印加する例を示したが、これらの電圧は発生せずともよい。例えば、サブフィールドＳＦ６の終了後からサブフィールドＳＦ１の開始前までの間は、走査電極ＳＣ１〜走査電極ＳＣｎ、維持電極ＳＵ１〜維持電極ＳＵｎ、データ電極Ｄ１〜データ電極Ｄｍをともに０（Ｖ）に保持する構成であってもよい。
【０３３３】
なお、本発明における実施の形態では、２Ｄ駆動時においては１つのフィールドを８つのサブフィールドで構成し、３Ｄ駆動時においては１つのフィールドを６つのサブフィールドで構成する例を説明した。しかし、本発明は１フィールドを構成するサブフィールドの数が何ら上記の数に限定されるものではない。例えば、サブフィールドの数をより多くすることで、パネル１０に表示できる階調の数をさらに増加することができる。
【０３３４】
また、本発明における実施の形態では、２Ｄ駆動時においてはサブフィールドＳＦ１〜サブフィールドＳＦ８の各サブフィールドの輝度重みを（１、２、４、８、１６、３２、６４、１２８）に設定し、３Ｄ駆動時においてはサブフィールドＳＦ１〜サブフィールドＳＦ６の各サブフィールドの輝度重みを（１、１７、８、４、２、１）に設定する例を説明した。しかし、各サブフィールドに設定する輝度重みは、何ら上記の数値に限定されるものではない。例えば、３Ｄ駆動時においてサブフィールドＳＦ１〜サブフィールドＳＦ６の各サブフィールドの輝度重みを（１、１２、７、３、２、１）等として階調を決めるサブフィールドの組み合わせに冗長性を持たせることにより、動画擬似輪郭の発生を抑制したコーディングが可能となる。１フィールドを構成するサブフィールドの数や、各サブフィールドの輝度重み等は、パネル１０の特性やプラズマディスプレイ装置の仕様等に応じて適宜設定すればよい。
【０３３５】
なお、本発明における実施の形態に示した各回路ブロックは、実施の形態に示した各動作を行う電気回路として構成されてもよく、あるいは、同様の動作をするようにプログラミングされたマイクロコンピュータ等を用いて構成されてもよい。
【０３３６】
なお、本発明における実施の形態では、１画素をＲ、Ｇ、Ｂの３色の放電セルで構成する例を説明したが、１画素を４色あるいはそれ以上の色の放電セルで構成するパネルにおいても、本発明における実施の形態に示した構成を適用することは可能であり、同様の効果を得ることができる。
【０３３７】
なお、本発明の実施の形態において示した具体的な数値は、画面サイズが５０インチ、表示電極対２４の数が１０２４のパネル１０の特性にもとづき設定したものであって、単に実施の形態における一例を示したものに過ぎない。本発明はこれらの数値に何ら限定されるものではなく、各数値はパネルの特性やプラズマディスプレイ装置の仕様等にあわせて最適に設定することが望ましい。また、これらの各数値は、上述した効果を得られる範囲でのばらつきを許容するものとする。また、１フィールドを構成するサブフィールドの数や各サブフィールドの輝度重み等も本発明における実施の形態に示した値に限定されるものではなく、また、画像信号等にもとづいてサブフィールド構成を切り換える構成であってもよい。
【産業上の利用可能性】
【０３３８】
本発明は、３Ｄ画像表示機能を有するプラズマディスプレイ装置において、シャッタ眼鏡を通して３Ｄ画像を観賞する使用者に対して、表示画像における階調の直線性を保ちつつ右目用画像と左目用画像との間に生じるクロストークを低減した３Ｄ画像を表示して、画像表示品質を高めることができるので、プラズマディスプレイ装置やプラズマディスプレイシステム、加えてパネルの駆動方法として有用である。
【符号の説明】
【０３３９】
１，２    プラズマディスプレイ装置
１０    パネル
２１    前面基板
２２    走査電極
２３    維持電極
２４    表示電極対
２５，３３    誘電体層
２６    保護層
３１    背面基板
３２    データ電極
３４    隔壁
３５，３５Ｒ，３５Ｇ，３５Ｂ    蛍光体層
４１    画像信号処理回路
４２    データ電極駆動回路
４３    走査電極駆動回路
４４    維持電極駆動回路
４５，７０    制御信号発生回路
４６    全セル点灯率検出回路
４７    部分点灯率検出回路
４８    平均値検出回路
４９    タイミング信号出力部
５０    シャッタ眼鏡
５２Ｒ    右目用シャッタ
５２Ｌ    左目用シャッタ
６０，８０    維持パルス発生回路
６１，８１    電力回収回路
６２，８２    クランプ回路
７１    維持パルス数補正部
７２    ルックアップテーブル
７３    補正後維持パルス数設定部
７４    駆動パターン選択部
Ｃ１０，Ｃ２０，Ｃ３０    コンデンサ
Ｌ１０，Ｌ２０    インダクタ
Ｑ１１，Ｑ１２，Ｑ１３，Ｑ１４，Ｑ２１，Ｑ２２，Ｑ２３，Ｑ２４，Ｑ２６，Ｑ２７，Ｑ２８，Ｑ２９    スイッチング素子
Ｄ１１，Ｄ１２，Ｄ２１，Ｄ２２，Ｄ３０    ダイオード
Ｃｐ    電極間容量
ＶＳ，ＶＥ１，ΔＶＥ    電源
Ｌ１，Ｌ２，Ｌ４    ランプ電圧
Ｌ３    消去ランプ電圧
【図１】
2012011284.tif 000003
【図２】
2012011284.tif 000004
【図３】
2012011284.tif 000005
【図４】
2012011284.tif 000006
【図５】
2012011284.tif 000007
【図６】
2012011284.tif 000008
【図７】
2012011284.tif 000009
【図８Ａ】
2012011284.tif 000010
【図８Ｂ】
2012011284.tif 000011
【図９Ａ】
2012011284.tif 000012
【図９Ｂ】
2012011284.tif 000013
【図１０】
2012011284.tif 000014
【図１１】
2012011284.tif 000015
【図１２】
2012011284.tif 000016
【図１３】
2012011284.tif 000017
【図１４】
2012011284.tif 000018
【図１５】
2012011284.tif 000019
【図１６】
2012011284.tif 000020
【図１７】
2012011284.tif 000021
【図１８】
2012011284.tif 000022
【図１９】
2012011284.tif 000023
【図２０】
2012011284.tif 000024
【国際調査報告】
2012011284.tif 000025
2012011284.tif 000026
2012011284.tif 000027
2012011284.tif 000028